【事件の表示】
　特許第６２４５５３７号発明「調光装置及び車両」の特許異議申立事件について，次のとおり決定する。
【結　論】
　特許第６２４５５３７号の特許請求の範囲を訂正請求書に添付された，訂正後の請求項〔１−２０〕について訂正することを認める。
　特許第６２４５５３７号の請求項１，２，７ないし２０に係る特許を維持する。
【理　由】
第１　手続の経緯
　本件特許第６２４５５３７号の請求項１〜２０に係る特許についての出願（特願２０１６−２２６２０２号）は，平成２８年１１月２１日の出願であって，平成２９年１１月２４日付けで設定登録がされ，その後，その特許に対し，特許異議申立人　杉本結子により請求項１，２，７ないし２０に対して特許異議の申立てがされたものである。以後の手続の経緯は以下のとおりである。
平成３０年１０月１７日付け：取消理由通知（同年同月２２日発送）
　　　同年１２月２１日　　：訂正請求書・意見書
平成３１年　１月１６日付け：通知書（同年同月２１日発送）
　　　同年　２月２０日　　：意見書
令和　元年　５月１０日付け：取消理由通知（予告）(同年同月１６日発送)
　　　同年　７月１６日　　：訂正請求書・意見書
　　　同年　９月１８日付け：通知書（同年同月２４日発送）
　　　同年１０月２４日　　：意見書
第２　訂正の適否についての判断
１　訂正の内容
　令和元年７月１７日にされた訂正請求（以下「本件訂正請求」という。）は，特許請求の範囲を訂正特許請求の範囲のとおり，訂正後の請求項１〜２０について訂正することを求めるものであって，以下の訂正事項１ないし７からなる（当審注：下線は，請求人が付したものである。）。
（１）訂正事項１
　特許請求の範囲の請求項１に，
「１又は複数のガラスプレートを含み，曲面を有する光透過プレートと，
　調光セルと，
　前記光透過プレートの前記曲面と前記調光セルとの間に配置され，前記光透過プレートの前記曲面に前記調光セルの一方側を接着する光学透明粘着フィルムと，を備える調光装置であって，
　前記調光セルは，第１樹脂基材を含む第１積層体と，第２樹脂基材を含む第２積層体と，前記第１積層体と前記第２積層体との間に設けられた二色性色素を含む液晶層と，を有する調光装置。」
と記載されているのを，
「１又は複数のガラスプレートを含み，曲面を有する光透過プレートと，
　
遮光状態と光透過状態とをとることのできる
　前記光透過プレートの前記曲面と前記調光セルとの間に配置され，前記光透過プレートの前記曲面に前記調光セルの一方側を接着する光学透明粘着フィルムと，を備える調光装置であって，
　前記曲面は，三次元曲面であり，
　前記光透過プレートは，前記調光セルの一方側のみに配置されており，
　前記調光セルは，第１樹脂基材
，第１電極層及び第１配光膜
及び第２配光膜
ゲスト・ホスト型の
前記第１配光膜と前記第２配光膜との間で前記液晶層の液晶スペースを区画するシール材と，前記液晶層の厚さを規定する複数のスペーサーと，
　前記第１積層体は，前記液晶層の液晶スペースを区画するシール材の外側に延長され且つ前記光透過プレートの前記曲面に貼り合わされた延長部を有し，
　前記液晶層の液晶層を区画するシール材は，幅方向の長さが１ｍｍ以上，５ｍｍ以下である
と訂正する。
　請求項１の記載を直接的又は間接的に引用する請求項１３，１４，１６，１７，１９及び２０も同様に訂正する。
（２）訂正事項２
　特許請求の範囲の請求項２に，
「１又は複数のガラスプレートを含み，曲面を有する光透過プレートと，
　調光セルと，
　前記光透過プレートの前記曲面と前記調光セルとの間に配置され，前記光透過プレートの前記曲面に前記調光セルの一方側を接着する光学透明粘着フィルムと，を備える調光装置であって，
　前記調光セルは，
　第１樹脂基材と，当該第１樹脂基材上に設けられる第１透明電極及び第１配向膜と，を含む第１積層体と，
　第２樹脂基材と，当該第２樹脂基材上に設けられる第２配向膜と，を含む第２積層体と，
　前記第１積層体と前記第２積層体との間に設けられる液晶層と，を有し，
　前記第１積層体及び前記第２積層体の各々は，Ｅ型の直線偏光板を含む調光装置。」
と記載されているのを，
「１又は複数のガラスプレートを含み，曲面を有する光透過プレートと，
　調光セルと，
　前記光透過プレートの前記曲面と前記調光セルとの間に配置され，前記光透過プレートの前記曲面に前記調光セルの一方側を接着する光学透明粘着フィルムと，を備える調光装置であって，
　前記曲面は，三次元曲面であり，
　前記調光セルは，
　第１樹脂基材と，当該第１樹脂基材上に設けられる第１透明電極及び第１配向膜と，を含む第１積層体と，
　第２樹脂基材と，当該第２樹脂基材上に設けられる第２配向膜と，を含む第２積層体と，
　前記第１積層体と前記第２積層体との間に設けられる
二色性色素を含むゲスト・ホスト型の
　前記第１配光膜と前記第２配光膜との間で前記液晶層の液晶スペースを区画するシール材と，前記液晶層の厚さを規定する複数のスペーサーと，
を有し，
　前記第１積層体は，前記液晶層の液晶スペースを区画するシール材の外側に延長され且つ前記光透過プレートの前記曲面に貼り合わされた延長部を有し，
　前記液晶層の液晶層を区画するシール材は，幅方向の長さが１ｍｍ以上，５ｍｍ以下であり，
　前記第１積層体及び前記第２積層体の各々は，Ｅ型の直線偏光板を含む調光装置。」
と訂正する。
（３）訂正事項３
　特許請求の範囲の請求項３に，
「前記第１積層体の前記直線偏光板は，前記第１樹脂基材上の前記液晶層側に設けられ，
　前記第２積層体の前記直線偏光板は，前記第２樹脂基材上の前記液晶層側に設けられている請求項２に記載の調光装置。」
と記載されているのを，
「
１又は複数のガラスプレートを含み，曲面を有する光透過プレートと，
　調光セルと，
　前記光透過プレートの前記曲面と前記調光セルとの間に配置され，前記光透過プレートの前記曲面に前記調光セルの一方側を接着する光学透明粘着フィルムと，を備える調光装置であって，
　前記調光セルは，
　第１樹脂基材と，当該第１樹脂基材上に設けられる第１透明電極及び第１配向膜と，を含む第１積層体と，
　第２樹脂基材と，当該第２樹脂基材上に設けられる第２配向膜と，を含む第２積層体と，
　前記第１積層体と前記第２積層体との間に設けられる液晶層と，を有し，
　前記第１積層体及び前記第２積層体の各々は，Ｅ型の直線偏光板を含み，
　前記第１積層体の前記直線偏光板は，前記第１樹脂基材上の前記液晶層側に設けられ，
　前記第２積層体の前記直線偏光板は，前記第２樹脂基材上の前記液晶層側に設けられてい
る
と訂正する。
（２）訂正事項４
　特許請求の範囲の請求項４に，
「前記第１積層体には，
　前記第１樹脂基材上に，前記第１透明電極，前記直線偏光板，ネガティブＣプレート層及び前記第１配向膜が順次設けられ，
　前記第２積層体には，
　前記第２樹脂基材上に，前記直線偏光板及び前記第２配向膜が順次設けられている請求項２又は３に記載の調光装置。」
と記載されているのを，
「
１又は複数のガラスプレートを含み，曲面を有する光透過プレートと，
　調光セルと，
　前記光透過プレートの前記曲面と前記調光セルとの間に配置され，前記光透過プレートの前記曲面に前記調光セルの一方側を接着する光学透明粘着フィルムと，を備える調光装置であって，
　前記調光セルは，
　第１樹脂基材と，当該第１樹脂基材上に設けられる第１透明電極及び第１配向膜と，を含む第１積層体と，
　第２樹脂基材と，当該第２樹脂基材上に設けられる第２配向膜と，を含む第２積層体と，
　前記第１積層体と前記第２積層体との間に設けられる液晶層と，を有し，
　前記第１積層体及び前記第２積層体の各々は，Ｅ型の直線偏光板を含み，
　前記第１積層体には，
　前記第１樹脂基材上に，前記第１透明電極，前記直線偏光板，ネガティブＣプレート層及び前記第１配向膜が順次設けられ，
　前記第２積層体には，
　前記第２樹脂基材上に，前記直線偏光板及び前記第２配向膜が順次設けられてい
る
と訂正する。
（２）訂正事項５
　特許請求の範囲の請求項５に，
「前記第１積層体には，
　前記第１樹脂基材上に，前記直線偏光板，ネガティブＣプレート層，前記第１透明電極及び前記第１配向膜が順次設けられ，
　前記第２積層体には，
　前記第２樹脂基材上に，前記直線偏光板，前記第２配向膜が順次設けられている請求項２又は３に記載の調光装置。」
と記載されているのを，
「
１又は複数のガラスプレートを含み，曲面を有する光透過プレートと，
　調光セルと，
　前記光透過プレートの前記曲面と前記調光セルとの間に配置され，前記光透過プレートの前記曲面に前記調光セルの一方側を接着する光学透明粘着フィルムと，を備える調光装置であって，
　前記調光セルは，
　第１樹脂基材と，当該第１樹脂基材上に設けられる第１透明電極及び第１配向膜と，を含む第１積層体と，
　第２樹脂基材と，当該第２樹脂基材上に設けられる第２配向膜と，を含む第２積層体と，
　前記第１積層体と前記第２積層体との間に設けられる液晶層と，を有し，
　前記第１積層体及び前記第２積層体の各々は，Ｅ型の直線偏光板を含み，
　前記第１積層体には，
　前記第１樹脂基材上に，前記直線偏光板，ネガティブＣプレート層，前記第１透明電極及び前記第１配向膜が順次設けられ，
　前記第２積層体には，
　前記第２樹脂基材上に，前記直線偏光板，前記第２配向膜が順次設けられてい
る調
と訂正する。
（２）訂正事項６
　特許請求の範囲の請求項７に，
「１又は複数のガラスプレートを含み，曲面を有する第１光透過プレートと，
　第２光透過プレートと，
　前記第１光透過プレートと前記第２光透過プレートとの間に配置される調光セルと，
　前記第１光透過プレートの前記曲面と前記調光セルとの間に配置され，前記第１光透過プレートの前記曲面に前記調光セルの一方側を接着する光学透明粘着フィルムと，を備え，
　前記調光セルは，第１樹脂基材を含む第１積層体と，第２樹脂基材を含む第２積層体と，前記第１積層体と前記第２積層体との間に設けられる液晶層と，を有する調光装置。」
と記載されているのを，
「１又は複数のガラスプレートを含み，曲面を有する第１光透過プレートと，
　第２光透過プレートと，
　前記第１光透過プレートと前記第２光透過プレートとの間に配置され
，遮光状態と光透過状態とをとることのできる
　前記第１光透過プレートの前記曲面と前記調光セルとの間に配置され，前記第１光透過プレートの前記曲面に前記調光セルの一方側を接着する光学透明粘着フィルムと，を備え，
　前記曲面は，三次元曲面であり，
　前記調光セルは，第１樹脂基材
，第１電極層及び第１配光膜
及び第２配光膜
二色性色素を含むゲスト・ホスト型の
前記第１配光膜と前記第２配光膜との間で前記液晶層の液晶スペースを区画するシール材と，前記液晶層の厚さを規定する複数のスペーサーと，
し，
　前記第１積層体は，前記液晶層の液晶スペースを区画するシール材の外側に延長され且つ前記光透過プレートの前記曲面に貼り合わされた延長部を有し，
　前記液晶層の液晶層を区画するシール材は，幅方向の長さが１ｍｍ以上，５ｍｍ以下である
と訂正する。
（２）訂正事項７
　特許請求の範囲の請求項１８に，
「曲面を有する光透過プレートと，
　調光セルと，
　前記光透過プレートの前記曲面と前記調光セルとの間に配置され，前記光透過プレートの前記曲面に前記調光セルの一方側を接着する光学透明粘着フィルムと，を備える調光装置であって，
　前記調光セルは，第１樹脂基材を含む第１積層体と，第２樹脂基材を含む第２積層体と，前記第１積層体と前記第２積層体との間に設けられた二色性色素を含む液晶層と，を有し，
　前記光学透明粘着フィルムは，前記光学透明粘着フィルム及び前記調光セルが積層する方向に関する厚さが，５０μｍ以上５００μｍ以下であり，室温環境での貯蔵弾性率が，１×１０７Ｐａ以上１×１０８Ｐａ以下である調光装置。」
と記載されているのを，
「曲面を有する光透過プレートと，
　
遮光状態と光透過状態とをとることのできる
　前記光透過プレートの前記曲面と前記調光セルとの間に配置され，前記光透過プレートの前記曲面に前記調光セルの一方側を接着する光学透明粘着フィルムと，を備える調光装置であって，
　前記曲面は，三次元曲面であり，
　前記調光セルは，第１樹脂基材
，第１電極層及び第１配光膜
及び第２配光膜
ゲスト・ホスト型の
前記第１配光膜と前記第２配光膜との間で前記液晶層の液晶スペースを区画するシール材と，前記液晶層の厚さを規定する複数のスペーサーと，を有し，
　前記第１積層体は，前記液晶層の液晶スペースを区画するシール材の外側に延長され且つ前記光透過プレートの前記曲面に貼り合わされた延長部を有し，
　前記液晶層の液晶層を区画するシール材は，幅方向の長さが１ｍｍ以上，５ｍｍ以下であり，
　前記光学透明粘着フィルムは，前記光学透明粘着フィルム及び前記調光セルが積層する方向に関する厚さが，５０μｍ以上５００μｍ以下であり，室温環境での貯蔵弾性率が，１×１０７Ｐａ以上１×１０８Ｐａ以下である調光装置。」
と訂正する。
２　当審の判断
（１）訂正事項１
ア　訂正事項１は，訂正前の請求項１に係るものであり，訂正事項１−１ないし訂正事項１−６からなる（下線は当審で付した。以下同様。）。
（ア−１）訂正事項１−１
　訂正事項１−１は，「
前記曲面は，三次元曲面であり，
（ア−２）訂正事項１−２
　訂正事項１−２は，「
前記光透過プレートは，前記調光セルの一方側のみに配置されており，
（ア−３）訂正事項１−３
　訂正事項１−３は，「前記調光セルは，第１樹脂基材を含む第１積層体と，第２樹脂基材を含む第２積層体と，前記第１積層体と前記第２積層体との間に設けられた二色性色素を含む液晶層と，を有する」を「前記調光セルは，第１樹脂基材
，第１電極層及び第１配光膜
及び第２配光膜
ゲスト・ホスト型の
前記第１配光膜と前記第２配光膜との間で前記液晶層の液晶スペースを区画するシール材と，前記液晶層の厚さを規定する複数のスペーサーと，
（ア−４）訂正事項１−４
　訂正事項１−４は，「
前記第１積層体は，前記液晶層の液晶スペースを区画するシール材の外側に延長され且つ前記光透過プレートの前記曲面に貼り合わされた延長部を有し，
（ア−５）訂正事項１−５
　訂正事項１−５は，「
前記液晶層の液晶層を区画するシール材は，幅方向の長さが１ｍｍ以上，５ｍｍ以下である
（ア−６）訂正事項１−６
　訂正事項１−６は，「調光セルと，」を「
遮光状態と光透過状態とをとることのできる
イ　訂正の目的の適否
　訂正事項１−１は，「曲面を有する光透過プレート」について，当該「曲面が，三次元曲面であ」ると限定するものである。
　訂正事項１−２は，「光透過プレート」の配置箇所について，調光セルの一方側のみに配置されていることを限定するものである。
　訂正事項１−３は，「第１積層体」が「第１電極層及び第１配光膜を含」み，「第２積層体」が「第２配光膜を含」み，「二色性色素を含む液晶層」が「ゲスト・ホスト型」であり，「前記第１積層体と前記第２積層体との間に」はさらに「液晶層の液晶スペースを区画するシール材と，前記液晶層の厚さを規定する複数のスペーサーと，を有」する点を限定するものである。
　訂正事項１−４は，「第１積層体」について，「前記液晶層の液晶スペースを区画するシール材の外側に延長され且つ前記光透過プレートの前記曲面に貼り合わされた延長部を有」することを限定するものである。
　訂正事項１−５は，訂正事項１−３で加えられた「シール材」について，その「幅方向の長さが１ｍｍ以上，５ｍｍ以下である」ことを規定するものである。
　訂正事項１−６は，「調光セル」について，「遮光状態と光透過状態とをとることのできる」ものであることを限定するものである。
　よって，訂正事項１−１ないし訂正事項１−６からなる訂正事項１は，特許法第１２０条の５第２項第１号に掲げる特許請求の範囲の減縮を目的とするものに該当する。
ウ　新規事項追加の有無
（ウ−１）訂正事項１−１に関し，願書に添付した明細書には，以下の記載がある。
「【００５５】
　
光透過プレート２１の曲面２０は，特に限定されないが典型的には二次元曲面或いは三次元曲面であり，
【００５６】
　図２は，三次元曲面２０ａを説明するための図である。ここでいう三次元曲面２０ａは，単一の軸を中心として二次元的に曲がった二次元曲面，或いは，互いに平行な複数の軸を中心として異なる曲率で二次元的に曲がった二次元曲面とは区別されるものである。すなわち，三次元曲面２０ａは，互い対して傾斜した複数の軸の各々を中心として，部分的に又は全体的に曲がっている面を意味する。
【００５７】
　図示の光透過プレート２１の一方の面（すなわち光学透明粘着フィルム２４が付着される曲面２０）は，全体として図２に示すように曲がっており，第１の軸Ａ１を中心に第１の方向ｄ１へ曲がるとともに，第２の軸Ａ２を中心に第２の方向ｄ２へも曲がっている。
図示の例では，第１の軸Ａ１及び第２の軸Ａ２は共に図２に示すＸ方向及びＹ方向に対して傾斜しており，第１の軸Ａ１は第２の軸Ａ２に垂直である。」
　上記記載のとおり，願書に添付した明細書には，訂正事項１−１に係る「光透過プレート２１の曲面２０」が「三次元曲面」であることが記載されている。
（ウ−２）訂正事項１−２に関し，願書に添付した明細書には，以下の記載がある。
「【００５７】
　図示の光透過プレート２１の一方の面（すなわち光学透明粘着フィルム２４が付着される曲面２０）は，全体として図２に示すように曲がっており，第１の軸Ａ１を中心に第１の方向ｄ１へ曲がるとともに，第２の軸Ａ２を中心に第２の方向ｄ２へも曲がっている。
図示の例では，第１の軸Ａ１及び第２の軸Ａ２は共に図２に示すＸ方向及びＹ方向に対して傾斜しており，第１の軸Ａ１は第２の軸Ａ２に垂直である。
【００５８】
　
このような光透過プレート２１の曲面２０に対し，調光セル２２の一方側が光学透明粘着フィルム２４を介して接着される
　上記記載のとおり，願書に添付した明細書には，訂正事項１−２に係る「光透過プレート」の配置箇所について，調光セルの一方側のみに配置されていることが記載されている。
（ウ−３）訂正事項１−３に関し，願書に添付した明細書には，以下の各記載がある。
「【００６１】
　調光セル２２は多層構造を有し，光学透明粘着フィルム２４側から外側に向かって（すなわち光透過プレート２１から離間する方向へ），図３に示すように「保護層４７，偏光層４８，保護層４７，粘着層４６，第１電極配向層４３，液晶層４９，第２電極配向層４４，粘着層４６，位相差補償フィルム４５，粘着層４６，保護層４７，偏光層４８，保護層４７，粘着層４６及びハードコート層２６」が層状に順次設けられている。これらの層によって，「偏光板−電極層−配向膜−液晶層−配向膜−電極層−偏光板−ハードコート層」の積層構造が作られている。」
　・・・（中略）・・・
【００６８】
　このように第１樹脂基材２９と第２樹脂基材３０との間には，第１樹脂基材２９側に配置される第１電極層３１と，第２樹脂基材３０側に配置される第２電極層３２とが設けられる。第１電極層３１及び第２電極層３２は，ＩＴＯ（Ｉｎｄｉｕｍ　Ｔｉｎ　Ｏｘｉｄｅ（酸化インジウムスズ））等の各種材料によって透明電極として形成可能であり，ＦＰＣ（Ｆｌｅｘｉｂｌｅ　Ｐｒｉｎｔｅｄ　Ｃｉｒｃｕｉｔｓ）等の給電手段が接続され，電圧が印加される。第１電極層３１及び第２電極層３２に印加される電圧に応じて，第１電極層３１と第２電極層３２との間に配置される液晶層４９に作用する電界が変わり，液晶層４９を構成する液晶部材の配向が調整される。
【００６９】
　第１電極層３１と第２電極層３２との間には，第１電極層３１側に配置される第１配向膜３３と，第２電極層３２側に配置される第２配向膜３４とが設けられる。第１配向膜３３及び第２配向膜３４の製法は特に限定されず，任意の手法によって液晶配向能を有する第１配向膜３３及び第２配向膜３４を作ることができる。例えば，ポリイミド等の樹脂層に対してラビング処理を施すことで第１配向膜３３及び第２配向膜３４が作られてもよいし，高分子膜に直線偏光紫外線を照射して偏光方向の高分子鎖を選択的に反応させる光配向法に基づいて第１配向膜３３及び第２配向膜３４が作られてもよい。
【００７０】
　そして第１配向膜３３と第２配向膜３４との間には，図３に示すように，液晶層４９の他にスペーサー５２及びシール材３６が設けられる。すなわち第１配向膜３３と第２配向膜３４との間には，第１配向膜３３と第２配向膜３４との間において液晶スペース３５を区画するシール材３６が設けられ，この液晶スペース３５に液晶部材が充填されることで液晶層４９が形成される。複数のスペーサー５２は，少なくとも液晶スペース３５に配置され，第１配向膜３３及び第２配向膜３４を支持するように離散的に配置される。（後略）」
「【０１５９】
＜ゲストホスト液晶＞
　
本発明は，ゲスト・ホスト型の液晶を用いる調光セル２２にも適用可能である。すなわち，液晶層４９は，二色性色素（ゲスト）及び液晶（ホスト）を含んでいてもよい。
　上記記載のとおり，願書に添付した明細書には，訂正事項１−３に係る「前記調光セルは，第１樹脂基材，第１電極層及び第１配光膜を含む第１積層体と，第２樹脂基材及び第２配光膜を含む第２積層体と，前記第１積層体と前記第２積層体との間に設けられた二色性色素を含むゲスト・ホスト型の液晶層と，前記第１配光膜と前記第２配光膜との間で前記液晶層の液晶スペースを区画するシール材と，前記液晶層の厚さを規定する複数のスペーサーと，を有」することが記載されている。
　なお，ここで，「第１配向膜」及び「第２配向膜」が液晶層に直接対面する構成となることは，技術常識から明らかである。
（ウ−４）訂正事項１−４に関し，願書に添付した明細書には，以下の記載がある。
「【００８８】
　なお，光透過プレート２１の曲面２０に対する貼り合わせに起因する調光セル２２の皺等の歪みは，貼り合わせ処理の始め（すなわち貼合開始領域）において特に生じやすい。
当該知見に基づいて，調光装置１０（光透過プレート２１，光学透明粘着フィルム２４及び調光セル２２）において光学的な使用が本来的に意図されていない箇所やユーザーによって視認されにくい箇所を貼合開始領域として調光セル２２を光透過プレート２１の曲面２０に貼り合わせることで，調光セル２２の歪みの実質的な影響を低減できる。そのため，例えば液晶層４９が設けられていないシール材３６よりも外側の領域を貼合開始領域とすることで，液晶層４９を通過する光に対する「調光セル２２に生じる歪みによる影響」を実質的に低減できる。
したがって，第１電極配向層４３及び第２電極配向層４４（特に第１電極層３１及び第２電極層３２）がシール材３６の外側に延長され，この延長部にＦＰＣ等の「第１電極層３１及び第２電極層３２に対する給電手段」が接続される場合には，この「給電手段が接続される領域」を貼合開始領域として活用して当該領域から調光セル２２を光透過プレート２１の曲面２０に貼り合わせることで，調光セル２２に生じる歪みを効果的に隠すことができる。
　ここで，一般に，液晶セルに対する外部からの給電のために，液晶層を挟む両基板の内の一方を延長して電極取り出し部を設けることは，以下の各刊行物にも記載されているように周知の構成である。
文献１：特開平９−６１７８０号公報（特に図５）
文献２：特開２０１６−１６１８６２号公報（特に図６）
文献３：特開２０１６−１６４６１７号公報（特に図６）
文献４：特開２０１６−３４３５１５号公報（特に図４）
　それゆえ，上記願書に添付した明細書の段落【００８８】の記載における「
第１電極配向層４３及び第２電極配向層４４（特に第１電極層３１及び第２電極層３２）がシール材３６の外側に延長され，この延長部にＦＰＣ等の「第１電極層３１及び第２電極層３２に対する給電手段」が接続される場合
第１電極配向層４３及び第２電極配向層４４
　よって，願書に添付した明細書には，訂正事項１−４に係る「
前記第１積層体は，前記液晶層の液晶スペースを区画するシール材の外側に延長され且つ前記光透過プレートの前記曲面に貼り合わされた延長部を有
（ウ−５）訂正事項１−５に関し，願書に添付した明細書には，以下の記載がある。
「【００８４】
　またシール材３６は，積層方向（第１配向膜３３，シール材３６及び第２配向膜３４が積層する方向）に垂直な方向（すなわち幅方向）に関する長さが，１ｍｍ以上５ｍｍ以下であることが好ましく，１．５ｍｍであることが特に好ましい。
【００８５】
　シール材３６の幅方向に関する長さが小さいほど，調光セル２２全体の剛性を低下させることができ，皺等の歪みを生じさせることなく調光セル２２を曲面２０に貼り合わせることが容易になる。その一方で，シール材３６の幅方向に関する長さが小さ過ぎると，「液晶スペース３５における液晶層４９の封止」や「第１電極配向層４３（第１配向膜３３）と第２電極配向層４４（第２配向膜３４）との接着」というシール材３６の本来の機能が損なわれる。これらの事情を総合的に勘案すると，シール材３６の幅方向の長さは上述のように好ましくは１ｍｍ以上５ｍｍ以下（より好ましくは１．５ｍｍ）であることを本件発明者は新たに見出した。」
　上記記載のとおり，願書に添付した明細書には，訂正事項１−５に係る「前記液晶層の液晶層を区画するシール材は，幅方向の長さが１ｍｍ以上，５ｍｍ以下である」ことが記載されている。
（ウ−６）訂正事項１−６に関し，願書に添付した明細書には，以下の記載がある。
「【０１６９】
　図２２は，ゲスト・ホスト型の液晶を用いる調光セル２２の他の例（遮光状態）を説明するための概念図であり，調光セル２２の断面を示す。図２３は，図２２と同じ調光セル２２（光透過状態）を説明するための概念図であり，調光セル２２の断面を示す。」
　上記記載のとおり，願書に添付した明細書には，訂正事項１−６に係る「遮光状態と光透過状態とをとることのできる調光セル」が記載されている。
　上記（ウ−１）ないし（ウ−６）のとおりであるから，訂正事項１−１ないし訂正事項１−６からなる訂正事項１は，特許法第１２０条の５第９項で準用する第１２６条第５項の規定に適合する。
エ　特許請求の範囲の拡張，変更の存否
　訂正事項１は，上記イのとおり，特許請求の範囲の減縮を目的とする訂正であり，この訂正が，実質上特許請求の範囲を拡張し，又は変更するものでないことは明らかである。
　よって，訂正事項１は，特許法第１２０条の５第９項で準用する第１２６条第６項の規定に適合する。
オ　独立特許要件
　本件においては，訂正前の請求項１，２，７〜２０について特許異議申立てがされているので，訂正前の請求項１に係る訂正事項１に関して，特許法第１２０条の５第９項で読み替えて準用する同法１２６条第７項の独立特許要件は課されない。
（２）訂正事項２
ア　訂正事項２は，訂正前の請求項２に係るものであり，訂正事項２−１ないし訂正事項２−４からなる。
（ア−１）訂正事項２−１
　訂正事項２−１は，「
前記曲面は，三次元曲面であり，
（ア−２）訂正事項２−２
　訂正事項２−２は，「前記調光セルは，第１樹脂基材と，当該第１樹脂基材上に設けられる第１透明電極及び第１配向膜と，を含む第１積層体と，第２樹脂基材と，当該第２樹脂基材上に設けられる第２配向膜と，を含む第２積層体と，前記第１積層体と前記第２積層体との間に設けられる液晶層と，を有し，」を，「前記調光セルは，第１樹脂基材と，当該第１樹脂基材上に設けられる第１透明電極及び第１配向膜と，を含む第１積層体と，第２樹脂基材と，当該第２樹脂基材上に設けられる第２配向膜と，を含む第２積層体と，前記第１積層体と前記第２積層体との間に設けられる
二色性色素を含むゲスト・ホスト型の
前記第１配光膜と前記第２配光膜との間で前記液晶層の液晶スペースを区画するシール材と，前記液晶層の厚さを規定する複数のスペーサーと，
（ア−３）訂正事項２−３
　訂正事項２−３は，「
前記第１積層体は，前記液晶層の液晶スペースを区画するシール材の外側に延長され且つ前記光透過プレートの前記曲面に貼り合わされた延長部を有し，
（ア−４）訂正事項２−４
　訂正事項２−４は，「
前記液晶層の液晶層を区画するシール材は，幅方向の長さが１ｍｍ以上，５ｍｍ以下であり，
（ア−５）訂正事項２−５
　訂正事項２−５は，「調光セルと，」を「
遮光状態と光透過状態とをとることのできる
イ　訂正の目的の適否
　訂正事項２−１は，「曲面を有する光透過プレート」について，当該「曲面が，三次元曲面であ」ると限定するものである。
　訂正事項２−２は，「液晶層」が「二色性色素を含むゲスト・ホスト型」であり，「前記第１積層体と前記第２積層体との間に」はさらに「液晶層の液晶スペースを区画するシール材と，前記液晶層の厚さを規定する複数のスペーサーと，を有」する点を限定するものである。
　訂正事項２−３は，「第１積層体」について，「前記液晶層の液晶スペースを区画するシール材の外側に延長され且つ前記光透過プレートの前記曲面に貼り合わされた延長部を有」することを限定するものである。
　訂正事項２−４は，訂正事項２−２で加えられた「シール材」について，その「幅方向の長さが１ｍｍ以上，５ｍｍ以下である」ことを規定するものである。
　訂正事項２−５は，「調光セル」について，「遮光状態と光透過状態とをとることのできる」ものであることを限定するものである。
　よって，訂正事項２−１ないし訂正事項２−５からなる訂正事項２は，特許法第１２０条の５第２項第１号に掲げる特許請求の範囲の減縮を目的とするものに該当する。
ウ　新規事項追加の有無
（ウ−１）前記（１）ウ（ウ−１）に摘記したとおり，願書に添付した明細書には，訂正事項２−１に係る「光透過プレート２１の曲面２０」が「三次元曲面」であることが記載されている。
（ウ−２）前記（１）ウ（ウ−３）に摘記したとおり，願書に添付した明細書には，訂正事項２−２に係る「液晶層」が「二色性色素を含むゲスト・ホスト型」であり，「前記第１積層体と前記第２積層体との間に」はさらに「液晶層の液晶スペースを区画するシール材と，前記液晶層の厚さを規定する複数のスペーサーと，を有」することが記載されている。
（ウ−３）前記（１）ウ（ウ−４）における検討と同様の理由により，願書に添付した明細書には，訂正事項２−３に係る，「第１積層体」について，「前記液晶層の液晶スペースを区画するシール材の外側に延長され且つ前記光透過プレートの前記曲面に貼り合わされた延長部を有」することことが記載されているといえる。
（ウ−４）前記（１）ウ（ウ−５）に摘記したとおり，願書に添付した明細書には，訂正事項２−４に係る「シール材」について，その「幅方向の長さが１ｍｍ以上，５ｍｍ以下である」ことが記載されている。
（ウ−５）前記（１）ウ（ウ−６）に摘記したとおり，願書に添付した明細書には，訂正事項２−５に係る「遮光状態と光透過状態とをとることのできる調光セル」が記載されている。
　上記（ウ−１）ないし（ウ−５）のとおりであるから，訂正事項２−１ないし訂正事項２−５からなる訂正事項２は，特許法第１２０条の５第９項で準用する第１２６条第５項の規定に適合する。
エ　特許請求の範囲の拡張，変更の存否
　訂正事項２は，上記イのとおり，特許請求の範囲の減縮を目的とする訂正であり，この訂正が，実質上特許請求の範囲を拡張し，又は変更するものでないことは明らかである。
　よって，訂正事項２は，特許法第１２０条の５第９項で準用する第１２６条第６項の規定に適合する。
オ　独立特許要件
　本件においては，訂正前の請求項１，２，７〜２０について特許異議申立てがされているので，訂正前の請求項２に係る訂正事項２に関して，特許法第１２０条の５第９項で読み替えて準用する同法１２６条第７項の独立特許要件は課されない。
（３）訂正事項３
ア　訂正の目的の適否
　訂正事項３は，訂正前の請求項３が，訂正前の請求項２の記載を引用するものであるところ，当該請求項２の記載を引用しないものとし，独立形式の請求項に改める訂正であるから，特許法第１２０条の５第２項第４号に掲げる「他の請求項の記載を引用する記載を当該他の請求項の記載を引用しないものとすること」を目的とするものに該当する。
イ　新規事項追加の有無，特許請求の範囲の拡張，変更の存否及び独立特許要件
　上記アのとおり，訂正事項３は，特許法第１２０条の５第２項第４号に掲げる「他の請求項の記載を引用する請求項の記載を当該他の請求項の記載を引用しないものとすること」を目的とするものに該当するものであり，当該訂正は，新たな技術事項を導入するものではなく，実質上特許請求の範囲を拡張し，又は変更するものでない。また，当該訂正後に係る請求項３によって特定される発明は，当該訂正前と同様に，特許出願の際独立して特許を受けることができるものといえる。よって，訂正事項３は，特許法第１２０条の５第９項で準用する第１２６条第５項ないし第７項の規定に適合する。
（４）訂正事項４
ア　訂正の目的の適否
　訂正事項４は，訂正前の請求項４が，訂正前の請求項２又は３の記載を引用するものであるところ，当該請求項２又は３の記載を引用しないものとし，独立形式の請求項に改める訂正であるから，特許法第１２０条の５第２項第４号に掲げる「他の請求項の記載を引用する記載を当該他の請求項の記載を引用しないものとすること」を目的とするものに該当する。
イ　新規事項追加の有無，特許請求の範囲の拡張，変更の存否及び独立特許要件
　上記アのとおり，訂正事項４は，特許法第１２０条の５第２項第４号に掲げる「他の請求項の記載を引用する請求項の記載を当該他の請求項の記載を引用しないものとすること」を目的とするものに該当するものであり，当該訂正は，新たな技術事項を導入するものではなく，実質上特許請求の範囲を拡張し，又は変更するものでない。また，当該訂正後に係る請求項４によって特定される発明は，当該訂正前と同様に，特許出願の際独立して特許を受けることができるものといえる。よって，訂正事項４は，特許法第１２０条の５第９項で準用する第１２６条第５項ないし第７項の規定に適合する。
（５）訂正事項５
ア　訂正の目的の適否
　訂正事項５は，訂正前の請求項５が，訂正前の請求項２又は３の記載を引用するものであるところ，当該請求項２又は３の記載を引用しないものとし，独立形式の請求項に改める訂正であるから，特許法第１２０条の５第２項第４号に掲げる「他の請求項の記載を引用する記載を当該他の請求項の記載を引用しないものとすること」を目的とするものに該当する。
イ　新規事項追加の有無，特許請求の範囲の拡張，変更の存否，及び独立特許要件
　上記アのとおり，訂正事項５は，特許法第１２０条の５第２項第４号に掲げる「他の請求項の記載を引用する請求項の記載を当該他の請求項の記載を引用しないものとすること」を目的とするものに該当するものであり，当該訂正は，新たな技術事項を導入するものではなく，実質上特許請求の範囲を拡張し，又は変更するものでない。また，当該訂正後に係る請求項５によって特定される発明は，当該訂正前と同様に，特許出願の際独立して特許を受けることができるものといえる。よって，訂正事項５は，特許法第１２０条の５第９項で準用する第１２６条第５項ないし第７項の規定に適合する。
（６）訂正事項６
ア　訂正事項６は，訂正前の請求項７に係るものであり，訂正事項６−１ないし訂正事項６−４からなる。
（ア−１）訂正事項６−１
　訂正事項６−１は，「
前記曲面は，三次元曲面であり，
（ア−２）訂正事項６−２
　訂正事項６−２は，「前記調光セルは，第１樹脂基材を含む第１積層体と，第２樹脂基材を含む第２積層体と，前記第１積層体と前記第２積層体との間に設けられる液晶層と，を有する」を，「前記調光セルは，第１樹脂基材
，第１電極層及び第１配光膜
及び第２配光膜
二色性色素を含むゲスト・ホスト型の
前記第１配光膜と前記第２配光膜との間で前記液晶層の液晶スペースを区画するシール材と，前記液晶層の厚さを規定する複数のスペーサーと，
し，
（ア−３）訂正事項６−３
　訂正事項６−３は，「
前記第１積層体は，前記液晶層の液晶スペースを区画するシール材の外側に延長され且つ前記光透過プレートの前記曲面に貼り合わされた延長部を有し，
（ア−４）訂正事項６−４
　訂正事項６−４は，「
前記液晶層の液晶層を区画するシール材は，幅方向の長さが１ｍｍ以上，５ｍｍ以下である
（ア−５）訂正事項６−５
　訂正事項６−５は，「調光セルと，」を「
遮光状態と光透過状態とをとることのできる
イ　訂正の目的の適否
　訂正事項６−１は，「曲面を有する光透過プレート」について，当該「曲面が，三次元曲面であ」ると限定するものである。
　訂正事項６−２は，「第１積層体」が「第１電極層及び第１配光膜を含」み，「第２積層体」が「第２配光膜を含」み，「液晶層」が「二色性色素を含むゲスト・ホスト型」であり，「前記第１積層体と前記第２積層体との間に」はさらに「液晶層の液晶スペースを区画するシール材と，前記液晶層の厚さを規定する複数のスペーサーと，を有」する点を限定するものである。
　訂正事項６−３は，「第１積層体」について，「前記液晶層の液晶スペースを区画するシール材の外側に延長され且つ前記光透過プレートの前記曲面に貼り合わされた延長部を有」することを限定するものである。
　訂正事項６−４は，訂正事項６−２で加えられた「シール材」について，その「幅方向の長さが１ｍｍ以上，５ｍｍ以下である」ことを規定するものである。
　訂正事項６−５は，「調光セル」について，「遮光状態と光透過状態とをとることのできる」ものであることを限定するものである。
　よって，訂正事項６−１ないし訂正事項６−５からなる訂正事項６は，特許法第１２０条の５第２項第１号に掲げる特許請求の範囲の減縮を目的とするものに該当する。
ウ　新規事項追加の有無
（ウ−１）前記（１）ウ（ウ−１）に摘記したとおり，願書に添付した明細書には，訂正事項６−１に係る「光透過プレート２１の曲面２０」が「三次元曲面」であることが記載されている。
（ウ−２）前記（１）ウ（ウ−３）に摘記したとおり，願書に添付した明細書には，訂正事項６−２に係る，「前記調光セルは，第１樹脂基材
，第１電極層及び第１配光膜
及び第２配光膜
二色性色素を含むゲスト・ホスト型の
前記第１配光膜と前記第２配光膜との間で前記液晶層の液晶スペースを区画するシール材と，前記液晶層の厚さを規定する複数のスペーサーと，
（ウ−３）前記（１）ウ（ウ−４）における検討と同様の理由により，願書に添付した明細書には，訂正事項６−３に係る，「第１積層体」について，「前記液晶層の液晶スペースを区画するシール材の外側に延長され且つ前記光透過プレートの前記曲面に貼り合わされた延長部を有」することことが記載されているといえる。
（ウ−４）前記（１）ウ（ウ−５）に摘記したとおり，願書に添付した明細書には，訂正事項６−４に係る「シール材」について，その「幅方向の長さが１ｍｍ以上，５ｍｍ以下である」ことが記載されている。
（ウ−５）前記（１）ウ（ウ−６）に摘記したとおり，願書に添付した明細書には，訂正事項６−５に係る「遮光状態と光透過状態とをとることのできる調光セル」が記載されている。
　上記（ウ−１）ないし（ウ−５）のとおりであるから，訂正事項６−１ないし訂正事項６−５からなる訂正事項６は，特許法第１２０条の５第９項で準用する第１２６条第５項の規定に適合する。
エ　特許請求の範囲の拡張，変更の存否
　訂正事項６は，上記イのとおり，特許請求の範囲の減縮を目的とする訂正であり，この訂正が，実質上特許請求の範囲を拡張し，又は変更するものでないことは明らかである。
　よって，訂正事項６は，特許法第１２０条の５第９項で準用する第１２６条第６項の規定に適合する。
オ　独立特許要件
　本件においては，訂正前の請求項１，２，７〜２０について特許異議申立てがされているので，訂正前の請求項７に係る訂正事項６に関して，特許法第１２０条の５第９項で読み替えて準用する同法１２６条第７項の独立特許要件は課されない。
（７）訂正事項７
ア　訂正事項７は，訂正前の請求項１８に係るものであり，訂正事項７−１ないし訂正事項７−５からなる。
（ア−１）訂正事項７−１
　訂正事項７−１は，「
前記曲面は，三次元曲面であり，
（ア−２）訂正事項７−２
　訂正事項７−２は，「前記調光セルは，第１樹脂基材を含む第１積層体と，第２樹脂基材を含む第２積層体と，前記第１積層体と前記第２積層体との間に設けられた二色性色素を含む液晶層と，を有し，」を，「前記調光セルは，第１樹脂基材
，第１電極層及び第１配光膜
及び第２配光膜
ゲスト・ホスト型の
前記第１配光膜と前記第２配光膜との間で前記液晶層の液晶スペースを区画するシール材と，前記液晶層の厚さを規定する複数のスペーサーと，を有し，
（ア−３）訂正事項７−３
　訂正事項７−３は，「
前記第１積層体は，前記液晶層の液晶スペースを区画するシール材の外側に延長され且つ前記光透過プレートの前記曲面に貼り合わされた延長部を有し，
（ア−４）訂正事項７−４
　訂正事項７−４は，「
前記液晶層の液晶層を区画するシール材は，幅方向の長さが１ｍｍ以上，５ｍｍ以下であり，
（ア−５）訂正事項７−５
　訂正事項７−５は，「調光セルと，」を「
遮光状態と光透過状態とをとることのできる
イ　訂正の目的の適否
　訂正事項７−１は，「曲面を有する光透過プレート」について，当該「曲面が，三次元曲面であ」ると限定するものである。
　訂正事項７−２は，「第１積層体」が「第１電極層及び第１配光膜を含」み，「第２積層体」が「第２配光膜を含」み，「二色性色素を含む液晶層」が「ゲスト・ホスト型」であり，「前記第１積層体と前記第２積層体との間に」はさらに「液晶層の液晶スペースを区画するシール材と，前記液晶層の厚さを規定する複数のスペーサーと，を有」する点を限定するものである。
　訂正事項７−３は，「第１積層体」について，「前記液晶層の液晶スペースを区画するシール材の外側に延長され且つ前記光透過プレートの前記曲面に貼り合わされた延長部を有」することを限定するものである。
　訂正事項７−４は，訂正事項７−２で加えられた「シール材」について，その「幅方向の長さが１ｍｍ以上，５ｍｍ以下である」ことを規定するものである。
　訂正事項７−５は，「調光セル」について，「遮光状態と光透過状態とをとることのできる」ものであることを限定するものである。
　よって，訂正事項７−１ないし訂正事項７−５からなる訂正事項７は，特許法第１２０条の５第２項第１号に掲げる特許請求の範囲の減縮を目的とするものに該当する。
ウ　新規事項追加の有無
（ウ−１）前記（１）ウ（ウ−１）に摘記したとおり，願書に添付した明細書には，訂正事項７−１に係る「光透過プレート２１の曲面２０」が「三次元曲面」であることが記載されている。
（ウ−２）前記（１）ウ（ウ−３）に摘記したとおり，願書に添付した明細書には，訂正事項７−２に係る「二色性色素を含む液晶層」が「ゲスト・ホスト型」であり，「前記第１積層体と前記第２積層体との間に」はさらに「液晶層の液晶スペースを区画するシール材と，前記液晶層の厚さを規定する複数のスペーサーと，を有」することが記載されている。
（ウ−３）前記（１）ウ（ウ−４）における検討と同様の理由により，願書に添付した明細書には，訂正事項７−３に係る，「第１積層体」について，「前記液晶層の液晶スペースを区画するシール材の外側に延長され且つ前記光透過プレートの前記曲面に貼り合わされた延長部を有」することことが記載されているといえる。
（ウ−４）前記（１）ウ（ウ−５）に摘記したとおり，願書に添付した明細書には，訂正事項７−４に係る「シール材」について，その「幅方向の長さが１ｍｍ以上，５ｍｍ以下である」ことが記載されている。
（ウ−５）前記（１）ウ（ウ−６）に摘記したとおり，願書に添付した明細書には，訂正事項７−５に係る「遮光状態と光透過状態とをとることのできる調光セル」が記載されている。
　上記（ウ−１）ないし（ウ−５）のとおりであるから，訂正事項７−１ないし訂正事項７−５からなる訂正事項７は，特許法第１２０条の５第９項で準用する第１２６条第５項の規定に適合する。
エ　特許請求の範囲の拡張，変更の存否
　訂正事項７は，上記イのとおり，特許請求の範囲の減縮を目的とする訂正であり，この訂正が，実質上特許請求の範囲を拡張し，又は変更するものでないことは明らかである。
　よって，訂正事項７は，特許法第１２０条の５第９項で準用する第１２６条第６項の規定に適合する。
オ　独立特許要件
　本件においては，訂正前の請求項１，２，７〜２０について特許異議申立てがされているので，訂正前の請求項１８に係る訂正事項７に関して，特許法第１２０条の５第９項で読み替えて準用する同法１２６条第７項の独立特許要件は課されない。
（８）一群の請求項について
　訂正前の請求項１３，１４，１６，１７，１９及び２０は，請求項１を直接的又は間接的に引用しており，訂正事項１によって記載が訂正される請求項１に連動して訂正されるものであり，訂正前の請求項３〜６，１３，１４，１６，１７，１９及び２０は，請求項２を直接的又は間接的に引用しており，訂正事項２によって記載が訂正される請求項２に連動して訂正されるものであり，訂正前の請求項８〜１３，１５〜１７，１９及び２０は，請求項７を直接的又は間接的に引用しており，訂正事項６によって記載が訂正される請求項７に連動して訂正されるものであり，訂正前の請求項１９及び２０は，請求項１８を直接的又は間接的に引用しており，訂正事項７によって記載が訂正される請求項１８に連動して訂正されるものである。
　すなわち，上記各訂正事項によって記載が訂正される各請求項，及び上記の各々連動して訂正される各請求項は，請求項１９及び請求項２０を介して，一体として特許請求の範囲全体を形成するように連関する関係にある。
　よって，訂正前の請求項１〜２０に対応する訂正後の請求項１〜２０は，特許法１２０条の５第４項の規定する一群の請求項である。
（９）むすび
　以上のとおりであるから，本件訂正請求による訂正は特許法第１２０条の５第２項第３号及び第４号に掲げる事項を目的とするものであり，かつ，同条第４項，及び同条第９項において準用する同法第１２６条第４項から第７項までの規定に適合するので，訂正請求書に添付された訂正明細書及び特許請求の範囲のとおり訂正後の請求項１〜２０について訂正を認める。
第３　訂正発明
　上記のとおり，本件訂正が認められたので，本件特許の訂正後の請求項１〜２０に係る発明（以下「訂正発明１」〜「訂正発明２０」という。）は，請求項１〜２０に記載された事項により特定される次のとおりのものである。
「【請求項１】
　１又は複数のガラスプレートを含み，曲面を有する光透過プレートと，
　
遮光状態と光透過状態とをとることのできる
　前記光透過プレートの前記曲面と前記調光セルとの間に配置され，前記光透過プレートの前記曲面に前記調光セルの一方側を接着する光学透明粘着フィルムと，を備える調光装置であって，
　前記曲面は，三次元曲面であり，
　前記光透過プレートは，前記調光セルの一方側のみに配置されており，
　前記調光セルは，第１樹脂基材
，第１電極層及び第１配光膜
及び第２配光膜
ゲスト・ホスト型の
前記第１配光膜と前記第２配光膜との間で前記液晶層の液晶スペースを区画するシール材と，前記液晶層の厚さを規定する複数のスペーサーと，
　前記第１積層体は，前記液晶層の液晶スペースを区画するシール材の外側に延長され且つ前記光透過プレートの前記曲面に貼り合わされた延長部を有し，
　前記液晶層の液晶層を区画するシール材は，幅方向の長さが１ｍｍ以上，５ｍｍ以下である
【請求項２】
　１又は複数のガラスプレートを含み，曲面を有する光透過プレートと，
　
遮光状態と光透過状態とをとることのできる
　前記光透過プレートの前記曲面と前記調光セルとの間に配置され，前記光透過プレートの前記曲面に前記調光セルの一方側を接着する光学透明粘着フィルムと，を備える調光装置であって，
　前記曲面は，三次元曲面であり，
　前記調光セルは，
　第１樹脂基材と，当該第１樹脂基材上に設けられる第１透明電極及び第１配向膜と，を含む第１積層体と，
　第２樹脂基材と，当該第２樹脂基材上に設けられる第２配向膜と，を含む第２積層体と，
　前記第１積層体と前記第２積層体との間に設けられる
二色性色素を含むゲスト・ホスト型の
　前記第１配光膜と前記第２配光膜との間で前記液晶層の液晶スペースを区画するシール材と，前記液晶層の厚さを規定する複数のスペーサーと，
を有し，
　前記第１積層体は，前記液晶層の液晶スペースを区画するシール材の外側に延長され且つ前記光透過プレートの前記曲面に貼り合わされた延長部を有し，
　前記液晶層の液晶層を区画するシール材は，幅方向の長さが１ｍｍ以上，５ｍｍ以下であり，
　前記第１積層体及び前記第２積層体の各々は，Ｅ型の直線偏光板を含む調光装置。
【請求項３】
　
１又は複数のガラスプレートを含み，曲面を有する光透過プレートと，
　調光セルと，
　前記光透過プレートの前記曲面と前記調光セルとの間に配置され，前記光透過プレートの前記曲面に前記調光セルの一方側を接着する光学透明粘着フィルムと，を備える調光装置であって，
　前記調光セルは，
　第１樹脂基材と，当該第１樹脂基材上に設けられる第１透明電極及び第１配向膜と，を含む第１積層体と，
　第２樹脂基材と，当該第２樹脂基材上に設けられる第２配向膜と，を含む第２積層体と，
　前記第１積層体と前記第２積層体との間に設けられる液晶層と，を有し，
　前記第１積層体及び前記第２積層体の各々は，Ｅ型の直線偏光板を含み，
　前記第１積層体の前記直線偏光板は，前記第１樹脂基材上の前記液晶層側に設けられ，
　前記第２積層体の前記直線偏光板は，前記第２樹脂基材上の前記液晶層側に設けられてい
る
【請求項４】
　
１又は複数のガラスプレートを含み，曲面を有する光透過プレートと，
　調光セルと，
　前記光透過プレートの前記曲面と前記調光セルとの間に配置され，前記光透過プレートの前記曲面に前記調光セルの一方側を接着する光学透明粘着フィルムと，を備える調光装置であって，
　前記調光セルは，
　第１樹脂基材と，当該第１樹脂基材上に設けられる第１透明電極及び第１配向膜と，を含む第１積層体と，
　第２樹脂基材と，当該第２樹脂基材上に設けられる第２配向膜と，を含む第２積層体と，
　前記第１積層体と前記第２積層体との間に設けられる液晶層と，を有し，
　前記第１積層体及び前記第２積層体の各々は，Ｅ型の直線偏光板を含み，
　前記第１積層体には，
　前記第１樹脂基材上に，前記第１透明電極，前記直線偏光板，ネガティブＣプレート層及び前記第１配向膜が順次設けられ，
　前記第２積層体には，
　前記第２樹脂基材上に，前記直線偏光板及び前記第２配向膜が順次設けられてい
る
【請求項５】
　
１又は複数のガラスプレートを含み，曲面を有する光透過プレートと，
　調光セルと，
　前記光透過プレートの前記曲面と前記調光セルとの間に配置され，前記光透過プレートの前記曲面に前記調光セルの一方側を接着する光学透明粘着フィルムと，を備える調光装置であって，
　前記調光セルは，
　第１樹脂基材と，当該第１樹脂基材上に設けられる第１透明電極及び第１配向膜と，を含む第１積層体と，
　第２樹脂基材と，当該第２樹脂基材上に設けられる第２配向膜と，を含む第２積層体と，
　前記第１積層体と前記第２積層体との間に設けられる液晶層と，を有し，
　前記第１積層体及び前記第２積層体の各々は，Ｅ型の直線偏光板を含み，
　前記第１積層体には，
　前記第１樹脂基材上に，前記直線偏光板，ネガティブＣプレート層，前記第１透明電極及び前記第１配向膜が順次設けられ，
　前記第２積層体には，
　前記第２樹脂基材上に，前記直線偏光板，前記第２配向膜が順次設けられてい
る調
【請求項６】
　前記第１積層体では，前記ネガティブＣプレート層が粘着剤層上に積層されている請求項４又は５に記載の調光装置。
【請求項７】
　１又は複数のガラスプレートを含み，曲面を有する第１光透過プレートと，
　第２光透過プレートと，
　前記第１光透過プレートと前記第２光透過プレートとの間に配置され
，遮光状態と光透過状態とをとることのできる
　前記第１光透過プレートの前記曲面と前記調光セルとの間に配置され，前記第１光透過プレートの前記曲面に前記調光セルの一方側を接着する光学透明粘着フィルムと，を備え，
　前記曲面は，三次元曲面であり，
　前記調光セルは，第１樹脂基材
，第１電極層及び第１配光膜
及び第２配光膜
二色性色素を含むゲスト・ホスト型の
前記第１配光膜と前記第２配光膜との間で前記液晶層の液晶スペースを区画するシール材と，前記液晶層の厚さを規定する複数のスペーサーと，
し，
　前記第１積層体は，前記液晶層の液晶スペースを区画するシール材の外側に延長され且つ前記光透過プレートの前記曲面に貼り合わされた延長部を有し，
　前記液晶層の液晶層を区画するシール材は，幅方向の長さが１ｍｍ以上，５ｍｍ以下である
【請求項８】
　前記第２光透過プレートは，前記調光セルから離間して配置される請求項７に記載の調光装置。
【請求項９】
　前記第２光透過プレートは，接着層を介して前記調光セルに取り付けられる請求項７に記載の調光装置。
【請求項１０】
　前記第２光透過プレートと前記調光セルとの間はシール材によって封止されている請求項７に記載の調光装置。
【請求項１１】
　前記シール材によって封止された前記第２光透過プレートと前記調光セルとの間にはシリコーンが配置されている請求項１０に記載の調光装置。
【請求項１２】
　前記シール材によって封止された前記第２光透過プレートと前記調光セルとの間は真空である請求項１０に記載の調光装置。
【請求項１３】
　反射防止層を更に備える請求項１〜１２のいずれか一項に記載の調光装置。
【請求項１４】
　反射防止層を更に備え，
　前記反射防止層は，前記調光セル及び前記光透過プレートのうちの少なくともいずれか一方に設けられる請求項１〜６のいずれか一項に記載の調光装置。
【請求項１５】
　反射防止層を更に備え，
　前記反射防止層は，前記調光セル及び前記第２光透過プレートのうちの少なくともいずれか一方に設けられる請求項７〜１２のいずれか一項に記載の調光装置。
【請求項１６】
　前記反射防止層は，アンチグレア層，アンチリフレクション層及び低反射層のうちの少なくとも１つを含む請求項１３に記載の調光装置。
【請求項１７】
　前記曲面は，三次元曲面である請求項１〜１６のいずれか一項に記載の調光装置。
【請求項１８】
　曲面を有する光透過プレートと，
　
遮光状態と光透過状態とをとることのできる
　前記光透過プレートの前記曲面と前記調光セルとの間に配置され，前記光透過プレートの前記曲面に前記調光セルの一方側を接着する光学透明粘着フィルムと，を備える調光装置であって，
　前記曲面は，三次元曲面であり，
　前記調光セルは，第１樹脂基材
，第１電極層及び第１配光膜
及び第２配光膜
ゲスト・ホスト型の
前記第１配光膜と前記第２配光膜との間で前記液晶層の液晶スペースを区画するシール材と，前記液晶層の厚さを規定する複数のスペーサーと，を有し，
　前記第１積層体は，前記液晶層の液晶スペースを区画するシール材の外側に延長され且つ前記光透過プレートの前記曲面に貼り合わされた延長部を有し，
　前記液晶層の液晶層を区画するシール材は，幅方向の長さが１ｍｍ以上，５ｍｍ以下であり，
　前記光学透明粘着フィルムは，前記光学透明粘着フィルム及び前記調光セルが積層する方向に関する厚さが，５０μｍ以上５００μｍ以下であり，室温環境での貯蔵弾性率が，１×１０７Ｐａ以上１×１０８Ｐａ以下である調光装置。
【請求項１９】
　前記光学透明粘着フィルムは，損失正接が０．５以上１．５以下である請求項１〜１８のいずれか一項に記載の調光装置。
【請求項２０】
　請求項１〜１９のいずれか一項に記載の調光装置を備える車両。」
第４　取消理由の概要
　訂正前の請求項１，２，７〜２０に係る特許に対して，当審が特許権者に通知した取消理由の概要は以下のとおりである。
甲第１号証　特表２０１３−５３１２７６号公報
甲第２号証　国際公開２０１０／１００８０７号
甲第３号証　特開２００７−６１４４６号公報
甲第４号証　特開平６−１６０８２３号公報
甲第５号証　特開２０１１−５９２６６号公報
甲第６号証　特開２００６−３３０１００号公報
甲第７号証　特開２００８−２３１３５８号公報
　理由（第２９条第２項）
　請求項１，２，７〜２０に係る発明は，いずれも周知技術を勘案して，甲第３号証に記載された発明及び甲第４〜７号証に記載された事項に基づいて当業者が容易に発明をすることができたものである。
第５　取消理由についての判断
１　甲３発明
ア　本件出願前に日本国内で頒布された文献である甲第３号証（特開２００７−６１４４６号公報）には以下の記載がある。
「【請求項４】
　
透明パネルに電気的に駆動される光学素子が複数備えられ，
　光学素子は，その面全体がほぼ透明になる透明状態と，模様及び／又は文字を含む情報を表示する情報表示状態とが備えられ，
　前記複数の光学素子の前記情報表示状態はそれぞれ視認され得るように配置され，
　（ａ１）前記透明状態と前記情報表示状態のいずれか一つの状態は非駆動時に安定に保持され，
　（ａ２）前記透明状態と前記情報表示状態は可逆的に切り替えることができ，
　（ｂ）前記透明状態を呈している光学素子の領域を，可視光線が一方の外表面から他方の外表面に向けて通過する場合の全光線透過率が６０％以上であり，
　（ｃ３）全ての光学素子の全面がほぼ透明状態になる場合と，少なくとも一つの光学素子が前記情報表示状態となる場合，とが備えられ，
　以下の（ｄ）又は（ｅ）の条件を満たすように光学素子が駆動されてなる調光装置。
　（ｄ）予め設定された動作シーケンスに従って，全ての光学素子についての前記透明状態又は前記情報表示状態の二つの状態を切り替える。
　（ｅ）センサーがさらに備えられ，透明パネルから所定の距離に存在する物体が前記センサーによって検出され，前記透明状態と前記情報表示状態の二つの状態の切り替えのタイミングが前記センサーの出力によって制御される。」
「【００４２】
　
本発明に用いる光学素子として，非駆動時に透明状態または情報表示状態が安定に保持されるものを採用する
　・・・（中略）・・・
【００４４】
　図１にその模式的断面図を示す。
この液晶／樹脂複合体素子４０は，表基板４１と裏基板４２の間に配向膜４３，４９，樹脂／液晶複合体層４５，スペーサ４６，周辺シール４７，マトリックス電極４４，４８が備えられている
「【００４７】
　本発明において，
透明パネルには，強度，加工性の点などから板ガラスを用いることが好ましい
【００４８】
　また，板ガラスを用いる場合，熱線反射ガラスや熱線吸収ガラスを用いることもできる。また，ドア装置の透明パネルとして，テンパライト（登録商標）を用いることもできる。
透明パネルの外表面に低反射性コーティングを施すことが好ましい
「【００５０】
　
本発明において，前記透明状態において，光学素子の全面がほぼ透明状態になることを前提としているが，全波長域において「透明」ではなく，有色透明であってもよい
「【００６７】
　
上記液晶光学素子１は，図６に示すように，第１のガラス基板６１ａ，第２のガラス基板６１ｂ，第１電極６２ａ，第２電極６２ｂ，第１高分子薄膜６３ａ，第２高分子薄膜６３ｂ，及び光学機能層たる液晶層６４等を備える
「【００６８】
　
第１のガラス基板６１ａの上には第１電極６２ａが形成されている。第１電極６２ａの上には第１高分子薄膜６３ａが形成されている。第２のガラス基板６１ｂの上にも同様に第２電極６２ｂ，さらにその上に第２高分子薄膜６３ｂが形成されている。そして，第１高分子薄膜６３ａ，第２高分子薄膜６３ｂがそれぞれ内側となるように第１のガラス基板６１ａと第２のガラス基板６２ｂとが貼り合わされる。そして，第１のガラス基板６１ａと第２のガラス基板６２ｂとの間には液晶層６４が挟持されている
「【００６９】
　第１電極６２ａ及び第２電極６２ｂは，それぞれストライプ状に複数配列されている。第１電極６２ａ，第２電極６２ｂの一方は，行電極（コモン電極）であり，他方は列電極（セグメント電極）であり，互いに直交するように配置されている。以下の説明では，第２電極６２ｂが列電極であり，第１電極６２ａが行電極であるとする。」
「【００７０】
　
第１高分子薄膜６３ａ，第２高分子薄膜６３ｂには，プレチルト角が６０゜以上となるような樹脂膜を用いることが好ましい
「【００８５】
　また，
透明パネルの一部又は全体が曲面体であってもよい。曲面体の曲面部（例えば，半円柱状部分など）に光学素子を設置するには，光学素子の基板をフィルム基板とし，柔軟構造を有する表示素子を採用すればよい
「【００８６】
　また，本実施形態１の展示装置１０においては，壁面２の開口部前面を覆うように液晶光学素子１を配設したが，
開口部全面に一枚のガラス等の透明板を配設し，この透明板に，ポリビニルブチラール等の接着シート等を介して液晶光学素子１を貼り合わせるようにしてもよい。また，後述する実施形態３又は変形例２に記載のように一対の透明板に光学素子を挟持する構造としてもよい
「【００９２】
　一般的に，液晶光学素子はその外周部にフレームを備えている。そして，このフレーム内にＴＣＰやＴＣＰと接続されるＦＰＣ等の外部配線が収容されている。フレームを用いる場合は極力，そのサイズを小さくし，全体の見栄えに影響しないようにする。（・・・後略・・・）」
「【０１１４】
　図１１に示すように，透明な第１板ガラス６５Ａ及び第２板ガラス６５Ｂは，前面と背面に対向配置されている。第１板ガラス６５Ａ及び第２板ガラス６５Ｂとしては，複層ガラス（例えば，旭硝子社製の「ペヤグラス」（商品名））等を用いることができる。それぞれの厚みは，例えば３ｍｍとする。
第１板ガラス６５Ａ，第２板ガラス６５Ｂの間に設けられた内空間６６の一面に，光学素子として液晶光学素子１を配置する。液晶光学素子１は，第１板ガラス６５　Ａの内側の主面と当接するように配置される。液晶光学素子１の外周には液晶光学素子１の位置を規制するスペーサー６７を設ける
「【０１１５】
　
スペーサー６７には断熱性があり，かつ透明な材料を用いることが好ましい
このスペーサー６７により，大型の一対の透明板２３の間に挟持されたそれぞれの液晶光学素子１の位置が規制される。なお，板ガラス６５　Ａと液晶光学素子１とを接着シートを介して接着することも可能である
「【０１１６】
　
内空間６６は例えば，乾燥空気等の気体が封入された気体層とする。２枚の板ガラスに挟まれた内部の気体層が熱の伝導を抑え，高断熱効果をもつ
「【０１１９】
　本実施形態３において，可視光域における光線透過率は基本的に６０％以上であることが好ましく，さらに好ましくは７０％以上とする。例えば，上述のカイラルネマチック液晶のような高透過性光学素子を用いることにより，可視域の波長で８０％以上の光線透過率を達成することができる。
アンチグレア処理等のための光学薄膜を含んでもよい
「【０１２６】
　
第１板ガラス６５Ａ，第２板ガラス６５Ｂの間隙に形成される空間には，透明固体層６８が充填せしめられている。これにより，外部からの衝撃を効果的に緩和して，内蔵ざれた液晶光学素子１を効果的に保護することができる。
「【０１３２】
　
一対の透明板５３は，略同一の大きさの矩形状の平面体からなり，互いに対向配置されている
一対の透明板５３は，平面体からなるものに限定されず，例えばそれぞれ独立に曲面状のものを用いてもよい
【０１３３】
　一対の透明板５３は，液晶光学素子５１のための保護プレートとして機能するため，不撓性透明板が使用されることが好ましい。一対の透明板５３は，ガラス若しくはポリカーボネートなどの透明樹脂を用いることができる。間仕切り壁５０の設置場所や用途に応じて，適切な材料を選択する。軽量化の観点からは，樹脂を利用することが好ましい。公共的な場所に設置する場合などにおいては，表面に傷がつきにくく，強度の点で優れたガラス板を使用することが好ましい。
車両用に使用される強化ガラス，風冷強化法や化学強化法で製造した通常の強化ガラスを適用してもよい
「【０１６２】
　また，自動車のサンルーフまたはムーンルーフとして本例の天窓を用いることができる。この場合，いわゆるプライバシー保護のために，全体を散乱・白濁状態となる光学状態を備えていることが好ましい。情報表示状態としては，広告・宣伝等の目的で所望の表示をさせることができる。あるいは，投射装置を併用して，所望の静止画・動画などの画面表示を行い，搭乗者がそれを視聴することもできる。さらに，熱線反射・吸収材などを適宜配置し，遮熱・遮光の機能を本例の天窓に付加することもできる。」
「【０１９０】
　なお，上記実施形態及び変形例においては，通常は，広告等の情報を表示し，情報受容者が接近すると透明になる態様について説明したが，その逆の態様であってもよい。すなわち，通常は透明状態であり，情報受容者が接近した場合に広告等の情報が表示される態様であってもよい。また，上記の各実施形態，実施例における構成要件の変形例は，その他の実施形態，実施例の実施に妨げのない範囲で，自由に適合させることができるのは言うまでもない。」
イ　ここで，図１は以下のものである。
　ここで，技術常識を勘案すると，配向膜４３はマトリクス電極４８を覆い樹脂／液晶複合体層４５に直接対向し，配向膜４９はマトリクス電極４４を覆い樹脂／液晶複合体層４５に直接対向するものであることは明らかである。
ウ　以上を総合すると，甲第３号証には以下の発明（以下「甲３発明」という。）が記載されているものと認められる。
「透明パネルに電気的に駆動される光学素子が複数備えられ，
　光学素子は，その面全体がほぼ透明になる透明状態と，模様及び／又は文字を含む情報を表示する情報表示状態とが備えられ，
　前記複数の光学素子の前記情報表示状態はそれぞれ視認され得るように配置され，
　（ａ１）前記透明状態と前記情報表示状態のいずれか一つの状態は非駆動時に安定に保持され，
　（ａ２）前記透明状態と前記情報表示状態は可逆的に切り替えることができ，
　（ｂ）前記透明状態を呈している光学素子の領域を，可視光線が一方の外表面から他方の外表面に向けて通過する場合の全光線透過率が６０％以上であり，
　（ｃ３）全ての光学素子の全面がほぼ透明状態になる場合と，少なくとも一つの光学素子が前記情報表示状態となる場合，とが備えられた，
調光装置であって，
　前記光学素子は，表基板４１と裏基板４２の間に配向膜４３，４９，樹脂／液晶複合体層４５，スペーサ４６，周辺シール４７，マトリクス電極４４，４８が備えられており，
　配向膜４３はマトリクス電極４８を覆い，樹脂／液晶複合体層４５に直接対向し，配向膜４９はマトリクス電極４４を覆い，樹脂／液晶複合体層４５に直接対向しており，
　透明パネルに，ポリビニルブチラール等の接着シート等を介して光学素子を貼り合わせるようにしてもよく，また，一対の透明パネルの一方の透明パネルに光学素子を当接させてもよく，また，一対の透明パネルに光学素子を挟持する構造としてもよく，
　透明パネルには，板ガラスを用いることが好ましく，
　透明パネルの一部又は全体が曲面体であってもよく，この際，光学素子の各基板（表基板４１と裏基板４２）をフィルム基板とし，柔軟構造を有する表示素子を採用すればよく，
　前記透明状態において，光学素子の全面がほぼ透明状態になることを前提としているが，全波長域において「透明」ではなく，有色透明であってもよく，
　透明パネルの外表面に低反射性コーティングを施すことが好ましいものである，
調光装置。」
エ　また，甲第３号証の段落【０１６２】には，調光装置を自動車の窓やサンルーフ等に適用することが記載されているから，上記ウに記載した甲３発明を，窓やサンルーフ等に適用した自動車の発明（以下「甲３自動車発明」という。）が記載されているといえる。
２　訂正発明１について
（１）対比
ア　訂正発明１と甲３発明とを対比する。
イ　甲３発明の「透明パネル」については，「一対の透明パネルに光学素子を挟持する構造としてもよ」く，また「板ガラスを用いることが好まし」く，「透明パネルの一部又は全体が曲面体であってもよ」いとされるところ，「一対の透明パネル」が複数の「透明パネル」を指すことは明らかであるから，当該「透明パネル」は，訂正発明１の「１又は複数のガラスプレートを含み，曲面を有する光透過プレート」に相当する。
ウ　甲３発明の「電気的に駆動される光学素子」であって「その面全体がほぼ透明になる透明状態と，模様及び／又は文字を含む情報を表示する情報表示状態とが備えられ」るものと，訂正発明１の「遮光状態と光透過状態とをとることのできる調光セル」とは，「光透過状態と，光透過状態とは異なる状態とをとることのできる調光セル」である点で一致する。
エ　甲３発明では，「透明パネルに，ポリビニルブチラール等の接着シート等を介して光学素子を貼り合わせるようにしてもよい」ところ，当該構成が透明とすることは明らかであるから，当該「ポリビニルブチラール等の接着シート等」は，訂正発明１の「前記光透過プレートの前記曲面と前記調光セルとの間に配置され，前記光透過プレートの前記曲面に前記調光セルの一方側を接着する光学透明粘着フィルム」に相当する。
オ　甲３発明においては，「透明パネルに，ポリビニルブチラール等の接着シート等を介して光学素子を貼り合わせるようにしてもよく，また，一対の透明パネルの一方の透明パネルに光学素子を当接させてもよく，また，一対の透明パネルに光学素子を挟持する構造としてもよ」いところ，「透明パネルに，ポリビニルブチラール等の接着シート等を介して光学素子を貼り合わせるように」することは，訂正発明１の「前記光透過プレートは，前記調光セルの一方側のみに配置されており」との構成に相当する。
カ　甲３発明においては「前記光学素子は，表基板４１と裏基板４２の間に配向膜４３，４９，樹脂／液晶複合体層４５，スペーサ４６，周辺シール４７，マトリックス電極４４，４８が備えられており，配向膜４３はマトリクス電極４８を覆い，樹脂／液晶複合体層４５に直接対向し，配向膜４９はマトリクス電極４４を覆い，樹脂／液晶複合体層４５に直接対向しており，」いるから，甲３発明の「裏基板４２」，「マトリックス電極４４」，「配向膜」「４９」，「表基板４１」及び「配向膜４３」は，それぞれ訂正発明１の「第１樹脂基材」，「第１電極層」，「第１配光膜」，「第２樹脂基材」，及び「第２配光膜」に相当し，また，甲３発明の「裏基板４２」，「マトリックス電極４４」及び「配向膜」「４９」からなるもの，ならびに，「第２樹脂基材」及び「第２配光膜」からなるものが，それぞれ訂正発明１の「第１積層体」並びに「第２積層体」に相当する。
キ　上記カも考慮すると，甲３発明の「配向膜４３はマトリクス電極４８を覆い，樹脂／液晶複合体層４５に直接対向し，配向膜４９はマトリクス電極４４を覆い，樹脂／液晶複合体層４５に直接対向」する構成における「樹脂／液晶複合体層４５」と，訂正発明１の「前記第１積層体と前記第２積層体との間に設けられた二色性色素を含むゲスト・ホスト型の液晶層」とは，「前記第１積層体と前記第２積層体との間に設けられた液晶層」である点で一致する。
ク　甲３発明の「スペーサ４６」は，訂正発明１の「前記液晶層の厚さを規定する複数のスペーサー」に相当する。
ケ　甲３発明の「周辺シール４７」は，訂正発明１の「前記第１配光膜と前記第２配光膜との間で前記液晶層の液晶スペースを区画するシール材」に相当する。
サ　甲３発明の「調光装置」は，訂正発明１の「調光装置」に相当する。
シ　よって，両者は次の点で一致する。
「１又は複数のガラスプレートを含み，曲面を有する光透過プレートと，
　光透過状態と，光透過状態とは異なる状態とをとることのできる調光セルと，
　前記光透過プレートの前記曲面と前記調光セルとの間に配置され，前記光透過プレートの前記曲面に前記調光セルの一方側を接着する光学透明粘着フィルムと，を備える調光装置であって，
　前記光透過プレートは，前記調光セルの一方側のみに配置されており，
　前記調光セルは，第１樹脂基材，第１電極層及び第１配光膜を含む第１積層体と，第２樹脂基材及び第２配光膜を含む第２積層体と，前記第１積層体と前記第２積層体との間に設けられた液晶層と，前記第１配光膜と前記第２配光膜との間で前記液晶層の液晶スペースを区画するシール材と，前記液晶層の厚さを規定する複数のスペーサーと，を有する，
調光装置。」
ス　一方，両者は以下の各点で相違する。
《相違点１》訂正発明１は，「前記曲面は，三次元曲面であり」との構成を備えるのに対し，甲３発明は「透明パネルの一部又は全体が曲面体であってもよく」とされているものの，当該曲面が，三次元曲面であることまでは特定されていない点。
《相違点２》訂正発明１は，「二色性色素を含むゲスト・ホスト型の液晶層」を備えるのに対して，甲３発明は，「液晶層」に対応する構成は備えるものの，「「二色性色素を含むゲスト・ホスト型」であることまでは特定されていない点。
《相違点３》訂正発明１は，「前記第１積層体は，前記液晶層の液晶スペースを区画するシール材の外側に延長され且つ前記光透過プレートの前記曲面に貼り合わされた延長部を有」するのに対し，甲３発明はそのような構成を備えない点。
《相違点４》訂正発明１は，「前記液晶層の液晶層を区画するシール材は，幅方向の長さが１ｍｍ以上，５ｍｍ以下である」のに対し，甲３発明においては，シールの幅方向の長さが特定されていない点。
《相違点５》訂正発明１は，「遮光状態と光透過状態とをとることのできる調光セル」を備えるのに対し，甲３発明は，「光透過状態と，光透過状態とは異なる状態とをとることのできる調光セル」に対応する構成は備えるものの，「光透過状態とは異なる状態」が「遮光状態」である構成までは備えない点。
（２）判断
　事案に鑑み，まず相違点５から検討する。
ア　甲３発明においては，「電気的に駆動される光学素子」「は，その面全体がほぼ透明になる透明状態と，模様及び／又は文字を含む情報を表示する情報表示状態とが備えられ」ているところ，甲第３号証には，「情報表示状態」として次の各記載がある。
「【００４２】
　本発明に用いる光学素子として，非駆動時に透明状態または情報表示状態が安定に保持されるものを採用する。特許文献４の液晶光学素子は，非駆動時に「透明」であり，駆動時に「散乱（白濁）」する動作モードを呈する。その改良発明として本出願人等による特願２００４−３６７５１３がある。光学素子を保護するために，樹脂構造をさらに工夫することにより，耐衝撃性を向上したものである。
【００４３】
　
その態様１は，液晶と高分子とを含む電気光学機能層を，少なくとも一方が透明な一対の電極付基板間に挟持し，電圧の印加に応じて該液晶の配向状態を変化させて光線透過状態と光線散乱状態とを呈するようにされた液晶光学素子であって
「【００６６】
　図６は，本実施形態１に係る液晶光学素子１の構成の一例を示す断面図である。本実施形態１に係る光学素子として，米国特許出願公開第２００３／０１４２０５７号明細書に開示されたメモリ性を有するものを挙げることができる。
具体的には散乱・反射状態であるフォーカルコニック状態と，可視域の波長で透明状態を呈するプレナー状態（赤外域または紫外域で選択反射を有する光学的状態）とを安定に有するカイラルネマチック液晶を用いている
「【００７９】
　本実施形態１においては，
上述のように液晶光学素子１の光学機能層の一部が散乱状態となって情報が表示される情報表示状態と，散乱状態となった部位が透明に切り替わり，光学機能層の全体が透明となる透明状態とを有する
「【００８７】
　上記実施形態の展示装置では，情報を表示させる光学素子の具体物として，
液晶光学素子１を用いたが，これに限定されるものではなく，無機ＥＬ表示素子，有機ＥＬ表示素子等でもよい
イ　上記アの各記載から，甲第３号証には，「実施形態１」における「情報表示状態」としては，「光学素子」が「散乱状態」であることが記載されており，「情報を液晶の散乱状態により表示しているため，様々な角度から情報を視認することができる」（段落【００７９】）としている。また甲第３号証には，「光学素子の具体物として，液晶光学素子１を用いたが，これに限定されるものではなく，無機ＥＬ表示素子，有機ＥＬ表示素子等でもよい」（段落【００８７】）との記載もあるが，これも，前記「様々な角度から情報を視認することができる」ものとして例示されていると理解できる。すなわち，「液晶の散乱状態により表示」するにしても，「無機ＥＬ表示素子，有機ＥＬ表示素子等」の発光により表示するにしても，いずれにおいても当該「散乱」あるいは「発光」部分から，観察者に向かう光が生ずるからである。
ウ　そして，甲第３号証の他の記載を見ても，「情報表示状態」を「遮光状態」とすることを読み取ることはできない。甲第３号証には，「また，広告，宣伝用途以外に，意図的に建物内の
外部からの視界を遮断したいとき
エ　また，前記イにおける検討に照らせば，「情報表示状態」を「散乱状態」，あるいは「無機ＥＬ表示素子，有機ＥＬ表示素子等」による発光状態に代えて，観察者に向かう光が生ずるものではない「遮光状態」とすることには阻害要因があるというべきであるから，「遮光状態」をとることができる光学素子が周知であるとしても，甲３発明において，そのような光学素子を採用することは，当業者が適宜になし得たことととはいえない。
オ　よって，甲３発明において，相違点５に係る構成を備えることは，当業者が容易になし得たこととはいえない。
（３）小括
　以上のとおりであるから，相違点１ないし相違点４について検討するまでもなく，訂正発明１は，甲第３号証及び甲第４号証に記載された事項，並びに周知の技術事項を勘案しても，甲３発明に基づいて当業者が容易に発明をすることができたものとはいえない。
３　訂正発明２，７ないし２０について
（１）訂正発明２，７及び１８について
　前記「第３　訂正発明」に記載したとおり，訂正発明２，７及び１８はいずれも，「遮光状態と光透過状態とをとることのできる調光セル」との構成を備えるものである。
　そして，前記２（２）のとおり，甲３発明において当該構成を備えることは当業者が容易になし得たこととはいえない。
　よって，訂正発明２，７及び１８についても，同様の理由により，甲３発明に基づいて，当業者が容易に発明をすることができたものとはいえない。
（２）訂正発明８ないし１７，１９及び２０について
　前記「第３　訂正発明」に記載したとおり，訂正発明８ないし１７，１９及び２０は，訂正発明１，２，７及び１８のいずれかを，直接または間接に引用しているから，いずれも「遮光状態と光透過状態とをとることのできる調光セル」との構成を備えるものである。
　よって，訂正発明８ないし１７，１９及び２０についても，上記（１）と同様の理由により，甲３発明に基づいて，当業者が容易に発明をすることができたものとはいえない。
第６　特許異議申立人の主張について
１　特許異議申立人は，令和元年１０月２８日に提出した意見書の１１ページ２３行ないし１３ページ８行において，以下のとおり，甲３発明が前記相違点５に係る構成を備える点に阻害事由は存するとは言えない旨を主張する。
（１）甲第３号証には「情報受容者の視野を遮ったり，見通すことができるような光学素子」，及び「意図的に建物内の外部からの視界を遮断したいとき」との記載がある。甲第４号証には「液晶素子を用いた調光手段の良いところは，機械的な動作部分が無く簡単に随時入射する光の一部または，その大部分を遮光することができるとこである」，及び「外部から浸入（進入の誤記と考えられる）する光を遮り車内の温度の上昇を抑える」との記載がある。
　これらの記載によれば，遮光状態と光透過状態とをとることのできる光学素子とは，本件特許の出願時において公知の技術であることは明らかである。よって，訂正後の本件発明１の訂正事項１‐６とは，訂正前の本件発明１に対して公知の要件を付加したに過ぎず，進歩性を肯定する技術的特徴足り得ない。
（２）甲第３号証には，請求項１等において，情報表示状態とは「模様及び／又は文字を含む情報を表示する」状態であると定義され，また，「駆動時に「散乱（白濁）」する動作モードを呈する。その改良発明として本出願人等による特願２００４−３６７５１３がある。」との記載があり，当該情報表示状態を特許権者が主張する散乱状態に限定するものではなく，改良発明として特願２００４−３６７５１３に記載されるように，コントラスト比や安定性の向上を目的として液晶層に二色性色素を含む種々の化合物が添加されてもよいことを出願時の技術常識に基づいて実質的に含むものであり，また，遮光状態の適用を妨げるものでもないことは明らかである。
（３）甲第３号証に記載の情報表示状態が散乱状態に限定されるものではないことは，無機ＥＬ表示素子や有機ＥＬ表示素子等が液晶光学素子１に代わる光学素子として例示されていることに鑑みても明らかであるから，遮光状態と光透過状態とすることは，甲第３号証に記載されているに等しいといえ，甲第３号証に記載の液晶層を二色性色素が含まれるゲスト・ホスト型の液晶に変更することに阻害事由が存するとは到底いえない。
２　しかしながら，以下のとおり，申立人の主張は当たらない。
（１）前記１（１）について
　前記第５　２（２）ウのとおり，甲第３号証の「情報受容者の視野を遮ったり，見通すことができるような光学素子」，及び「意図的に建物内の外部からの視界を遮断したいとき」との記載における「視野を遮ったり」及び「視界を遮断」とは，光を遮断，すなわち「遮光」をいうのではなく，外部から見通すことができないようにすることをいうのであって，当該「視野を遮ったり」及び「外部からの視界を遮断」は，前記「散乱状態」によって実現できることである。それゆえ，前記記載から，「情報表示状態」が「遮光状態」であるとはいえない。
（２）前記１（２）について
ア　甲第３号証が改良発明として引用する特願２００４−３６７５１３号（特開２００５−３６７５１３号公報；以下「引用先行出願」という。）の明細書及び特許請求の範囲には，以下の記載がある。
「【特許請求の範囲】
【請求項１】
　液晶と高分子とを含む電気光学機能層を，少なくとも一方が透明な一対の電極付基板間に挟持し，
電圧の印加に応じて該液晶の配向状態を変化させて光線透過状態と光線散乱状態とを呈するようにされた液晶光学素子
　該高分子は，柱状樹脂を形成し，
　該柱状樹脂は，その長軸方向が該電極付基板面の法線方向に略一致しているものと，当該法線方向からチルトしているものとが混在し，
　該電気光学機能層における該高分子の含有量を１０ｗｔ％以上とし，
　該光線透過状態における該液晶の配向方向は，該基板面の法線方向に略一致している液晶光学素子。」
「【発明の詳細な説明】
【技術分野】
【０００１】
　本発明は，液晶と高分子とを含む電気光学機能層を一対の電極付基板間に挟持し，
電圧の印加に応じて液晶の配向状態を変化させて光線透過状態と光線散乱状態とを呈するように構成された，液晶光学素子
「【００５１】
　この第１の実施形態によれば，液晶／高分子複合体層における高分子の含有量，高分子の形状及び高分子の配向性の条件を複合的に設計することにより，高い耐衝撃性が得られることを見出した。これは，上記複合的条件を満たすことにより，基板面の法線方向のみならず水平方向に対しても強い構造を実現できたためと考えている。その結果，衝撃が加わった際の高分子の変形や，その周辺の液晶の配向変化による白濁化現象を抑制し，耐衝撃性の高い液晶光学素子を提供することができる。
【００５２】
　・・・（中略）・・・
【００６１】
　液晶／高分子複合体層５中の液晶は，光線透過状態における液晶の配向方向が，基板面の法線方向に略一致するようにする。液晶を垂直配向にすることにより，液晶光学素子の光線透過状態をより良好に保つことができる。本発明においては，リバースモードを採用しているので，第１の電極３及び第２の電極に電圧を印加していないときには，液晶が配向して光線透過状態となる。
【００６２】
　一方，第１の電極３及び第４の電極４に電圧を印加すると電極間の電界により液晶がランダムに配向し，光線散乱状態となる。
このように電圧の印加，非印加によって光線散乱状態と光線透過状態とを制御することができるので，第１の電極３，及び第２の電極４の形成パターンに応じて所望の画像を表示することができる
【００６３】
　液晶の種類としては，ネマチック液晶，コレステリック液晶，スメクチック液晶及び強誘電性液晶などを用いることができる。中でも，ネマチック液晶を用いることが好ましい。ネマチック液晶は，他の液晶に比して液晶温度範囲が広く，粘性が小さいため，液晶素子の動作温度範囲を広く，かつ動作速度を大きくすることができるからである。液晶の誘電率異方性は負とした場合は，液晶の配向性を垂直配向として用いる。
【００６４】
　・・・（中略）・・・
【００６６】
　
液晶／高分子複合体層５は，コントラスト比や安定性の向上を目的として，種々の化合物が添加されていてもよい。例えば，コントラストの向上を目的として，アントラキノン系，スチリル系，アゾメチン系，アゾ系等の各種二色性色素を使用できる。
「【０１６６】
　
本発明に係る液晶光学素子は，透過−散乱の二つの光学状態を可逆的に切り替えることができるものであり
イ　上記アのとおり，引用先行出願の明細書には，液晶層に二色性色素を添加することが記載されているが，これは「コントラストの向上」を目的としたものであって，引用先行出願に記載された発明は，飽くまでも，その請求項１及び段落【０００１】にも記載されているように，「光線透過状態と光線散乱状態とを呈するようにされた液晶光学素子」に係るものである。
　それゆえ，引用先行出願の明細書及び特許請求の範囲に記載されたものは，前記二色性色素を添加した場合にあっても，「光線透過状態と光線散乱状態とを呈するようにされた液晶光学素子」であることに変わりはなく，当該「液晶光学素子」が遮光状態を有するものとまではいえない。
（３）前記１（３）について
　前記第５　２（２）イのとおり，甲第３号証には，「光学素子の具体物として，液晶光学素子１を用いたが，これに限定されるものではなく，無機ＥＬ表示素子，有機ＥＬ表示素子等でもよい」（段落【００８７】等）との記載もあるが，これは，「液晶の散乱状態により表示」するにしても，「無機ＥＬ表示素子，有機ＥＬ表示素子等」の発光により表示するにしても，いずれにおいても当該「散乱」あるいは「発光」部分から，観察者に向かう光が生ずるものとして例示されていると理解できる。
　これに対し，「遮光状態」とは光を通さない状態をいうのであるから，仮に，甲３号証に係る「光学素子」において，「情報表示状態」が「遮光状態」であるものを用いると，前述のように，観察者に向かう光が生ずるものではなくなることから，そのようなものは，甲３号証に記載されたものにおいて想定されていないと解される。
　したがって，前記第５　２（２）においても検討したとおり，甲３発明において，「光学素子」として，「情報表示状態」が「遮光状態」であるものを採用することには阻害要因があるといえる。
３　よって，前記１の申立人の主張は採用できない。
第７　令和元年５月１０日付け取消理由通知（決定の予告）において採用しなかった特許異議申立理由について
１　特許異議申立理由
（１）甲第１号証を引用例とした特許法第２９条第１項に係る理由（以下「理由Ａ」という。）及び甲第１号証を主たる引用例とした同条第２項に係る理由（以下「理由Ｂ」という。）
　請求項１，７，９，１７及び２０に係る発明は，甲第１号証に記載されたものであり，請求項８，１０，１２，１８及び１９に係る発明は，甲第１号証に記載された発明，及び他の甲号証に記載された事項に基づいて，当業者が容易に発明をすることができたものである。
（２）甲第２号証を引用例とした特許法第２９条第１項に係る理由（以下「理由Ｃ」という。）
　請求項７に係る発明は，甲第２号証に記載されたものである。
２　判断
（１）理由Ａ及び理由Ｂについて
ア　甲第１号証には，以下の記載がある。
「【００１０】
　その目的で，
本発明は液晶誘起可変散乱を有する合わせ板ガラスであって，
　第１のガラス・シートと
　
第１のガラス・シートを貼り合わせるための，第１のプラスチック材料（特に熱可塑性材料）からなる第１の中間フィルムと
　
第１の電極用の第１の支持体と第２の電極用の第２の支持体の間にあってその両方の電極と接触している液晶を備える，電気的に制御できる可変散乱システムと
　
第２のガラス・シートを貼り合わせるための，特に第１のプラスチック材料と同じタイプの第２のプラスチック材料（特に熱可塑性材料）からなる第２の中間フィルムと
　第１と第２の電極それぞれへの第１と第２の接続リンクと，
　２つの配線入口を有する電気配線であって，第１の配線入口が第１の接続リンクに接続し，第２の配線入口が第２の接続リンクに接続し，特にそれら接続リンクが，少なくとも支持体の端部から，さらには板ガラスの縁部から突出している電気配線と，
　第１と第２のガラス・シート，特に第１と第２のガラス・シートの縁部の１つと，そのガラス・シートの縁部の全体または一部で接触して，第１と第２の配線入口を保護しているポリマー材料と，
　第１と第２のプラスチック材料を例えば含んでいて，液晶と第１と第２の電極を封止して水を通過させない封止手段
と，を備える合わせ板ガラス
保護用ポリマー材料が，水，さらには水蒸気から電極への第１と第２の接続リンクと第１と第２の配線入口とを封止する手段を形成する，合わせ板ガラスが提供される。」
「【０１０５】
　図１は，液晶誘起可変散乱を有する合わせ板ガラスを示している。これはＰｒｉｖａｌｉｔｅ（登録商標）と名付けられた公知のタイプの板ガラスであり，以下の構成を備えている。すなわち，
　
縁部５１を有する第１のガラス・シート５と
　
第１のガラス・シートを貼り合わせるための，ＥＶＡからなる第１の中間フィルム１０
　３０ｎｍの厚さで面抵抗が７５オームに等しい
ＩＴＯからなる第１の電極３を支持する第１の支持フィルム２
ＩＴＯからなる第２の電極４を支持する第２の支持フィルム２’との間にあるＮＣＡＰ液晶１を備え，第１及び第２の電極が液晶と接触している，光学特性の変化を電気的に制御できるシステム２０
　縁部６１を有する
第２のガラス・シート６を貼り合わせるための，ＥＶＡからなる第２の中間フィルム１０’
イ　上記のとおり，甲第１号証に記載されたものは，「第１の電極用の第１の支持体と第２の電極用の第２の支持体の間にあってその両方の電極と接触している液晶を備える，電気的に制御できる可変散乱システム」（段落【００１０】）であって，配向膜間にゲスト・ホスト型の液晶層を備えるものとは，その動作が異なる。そして，上記甲第１号証に記載されたものを，動作が異なるものである，配向膜間にゲスト・ホスト型の液晶層を備えるものに置き換えることも想定されないというべきである。
　よって，甲第１号証に記載されたものは，訂正発明１，２，７及び１８が備える，「第１樹脂基材と，当該第１樹脂基材上に設けられる第１透明電極及び第１配向膜と，を含む第１積層体と，第２樹脂基材と，当該第２樹脂基材上に設けられる第２配向膜と，を含む第２積層体と，前記第１積層体と前記第２積層体との間に設けられる二色性色素を含むゲスト・ホスト型の液晶層」を備えず，また当該構成を備えることは，当業者が容易になし得たことともいえない。
ウ　よって，訂正発明１，７，９，１７及び２０について理由Ａは解消され，訂正発明８，１０，１２，１８及び１９について理由Ｂは解消されている。
（２）理由Ｃについて　
ア　甲第２号証には以下の記載がある。
「［００３０］
　図４は以上の各種の使用態様に用いるためのパーティション１００を示す。パーティション１００は複数の縦枠体１１０と複数の横枠体１２０とを組み合わせることにより，矩形状の複数の液晶フィルム３０を仕切った状態となっている。
横枠体１２０は滑らかに湾曲されており，これによりパーティション１００をフロアや地面上に載置したとき，倒れることなく自立状態となることができる
イ　上記アによれば，甲第２号証には,パーティション１００を構成する横枠体１２０を湾曲させ，これによりパーティション１００をフロアや地面上に載置したとき，倒れることなく自立状態とできるようにすることが記載されている。
　ここで，甲第２号証の図４からも明らかなように，前記「湾曲」は「自立状態」が維持されるように，載置面に対して垂直な軸まわりでの湾曲にとどまる。ここで，載置面に対して垂直以外の軸に対して湾曲すると，「自立状態」の維持に困難が生ずることも明らかである。
　それゆえ，甲第２号証に示されたものは，訂正発明７に係る「三次元曲面」を備えていないというべきである。
ウ　よって，訂正発明７について，理由Ｃは解消されている。
３　したがって，前記１の各特許異議申立理由は解消されている。
第８　むすび
　以上のとおりであるから，異議申立書に記載された理由によっては，訂正発明１，２，７〜２０に係る特許を取り消すことはできない。
　また，他に訂正発明１，２，７〜２０に係る特許を取り消すべき理由を発見しない。
　よって，結論のとおり決定する。
【異議決定日】
令和１年１２月２７日（２０１９．１２．２７）
【訂正の要旨】
審決（決定）の【理由】欄参照。
（５７）【特許請求の範囲】
　【請求項１】
　１又は複数のガラスプレートを含み、曲面を有する光透過プレートと、
　
遮光状態と光透過状態とをとることのできる
　前記光透過プレートの前記曲面と前記調光セルとの間に配置され、前記光透過プレートの前記曲面に前記調光セルの一方側を接着する光学透明粘着フィルムと、を備える調光装置であって、
　
前記曲面は、三次元曲面であり、
　
前記光透過プレートは、前記調光セルの一方側のみに配置されており、
　前記調光セルは、第１樹脂基材
、第１電極層及び第１配向膜
及び第２配向膜
ゲスト・ホスト型の
前記第１配向膜と前記第２配向膜との間で前記液晶層の液晶スペースを区画するシール材と、前記液晶層の厚さを規定する複数のスペーサーと、
し、
　
前記第１積層体は、前記液晶層の液晶スペースを区画するシール材の外側に延長され且つ前記光透過プレートの前記曲面に貼り合わされた延長部を有し、
　
前記液晶層の液晶スペースを区画するシール材は、幅方向の長さが１ｍｍ以上、５ｍｍ以下である
　【請求項２】
　１又は複数のガラスプレートを含み、曲面を有する光透過プレートと、
　
遮光状態と光透過状態とをとることのできる
　前記光透過プレートの前記曲面と前記調光セルとの間に配置され、前記光透過プレートの前記曲面に前記調光セルの一方側を接着する光学透明粘着フィルムと、を備える調光装置であって、
　
前記曲面は、三次元曲面であり、
　前記調光セルは、
　第１樹脂基材と、当該第１樹脂基材上に設けられる第１透明電極及び第１配向膜と、を含む第１積層体と、
　第２樹脂基材と、当該第２樹脂基材上に設けられる第２配向膜と、を含む第２積層体と、
　前記第１積層体と前記第２積層体との間に設けられる
二色性色素を含むゲスト・ホスト型の
　
前記第１配向膜と前記第２配向膜との間で前記液晶層の液晶スペースを区画するシール材と、前記液晶層の厚さを規定する複数のスペーサーと、
　
前記第１積層体は、前記液晶層の液晶スペースを区画するシール材の外側に延長され且つ前記光透過プレートの前記曲面に貼り合わされた延長部を有し、
　
前記液晶層の液晶スペースを区画するシール材は、幅方向の長さが１ｍｍ以上、５ｍｍ以下であり、
　前記第１積層体及び前記第２積層体の各々は、Ｅ型の直線偏光板を含む調光装置。
　【請求項３】
　
１又は複数のガラスプレートを含み、曲面を有する光透過プレートと、
　
調光セルと、
　
前記光透過プレートの前記曲面と前記調光セルとの間に配置され、前記光透過プレートの前記曲面に前記調光セルの一方側を接着する光学透明粘着フィルムと、を備える調光装置であって、
　
前記調光セルは、
　
第１樹脂基材と、当該第１樹脂基材上に設けられる第１透明電極及び第１配向膜と、を含む第１積層体と、
　
第２樹脂基材と、当該第２樹脂基材上に設けられる第２配向膜と、を含む第２積層体と、
　
前記第１積層体と前記第２積層体との間に設けられる液晶層と、を有し、
　
前記第１積層体及び前記第２積層体の各々は、Ｅ型の直線偏光板を含み、
　前記第１積層体の前記直線偏光板は、前記第１樹脂基材上の前記液晶層側に設けられ、
　前記第２積層体の前記直線偏光板は、前記第２樹脂基材上の前記液晶層側に設けられてい
る調
　【請求項４】
　
１又は複数のガラスプレートを含み、曲面を有する光透過プレートと、
　
調光セルと、
　
前記光透過プレートの前記曲面と前記調光セルとの間に配置され、前記光透過プレートの前記曲面に前記調光セルの一方側を接着する光学透明粘着フィルムと、を備える調光装置であって、
　
前記調光セルは、
　
第１樹脂基材と、当該第１樹脂基材上に設けられる第１透明電極及び第１配向膜と、を含む第１積層体と、
　
第２樹脂基材と、当該第２樹脂基材上に設けられる第２配向膜と、を含む第２積層体と、
　
前記第１積層体と前記第２積層体との間に設けられる液晶層と、を有し、
　
前記第１積層体及び前記第２積層体の各々は、Ｅ型の直線偏光板を含み、
　前記第１積層体には、
　前記第１樹脂基材上に、前記第１透明電極、前記直線偏光板、ネガティブＣプレート層及び前記第１配向膜が順次設けられ、
　前記第２積層体には、
　前記第２樹脂基材上に、前記直線偏光板及び前記第２配向膜が順次設けられてい
る調
　【請求項５】
　
１又は複数のガラスプレートを含み、曲面を有する光透過プレートと、
　
調光セルと、
　
前記光透過プレートの前記曲面と前記調光セルとの間に配置され、前記光透過プレートの前記曲面に前記調光セルの一方側を接着する光学透明粘着フィルムと、を備える調光装置であって、
　
前記調光セルは、
　
第１樹脂基材と、当該第１樹脂基材上に設けられる第１透明電極及び第１配向膜と、を含む第１積層体と、
　
第２樹脂基材と、当該第２樹脂基材上に設けられる第２配向膜と、を含む第２積層体と、
　
前記第１積層体と前記第２積層体との間に設けられる液晶層と、を有し、
　
前記第１積層体及び前記第２積層体の各々は、Ｅ型の直線偏光板を含み、
　前記第１積層体には、
　前記第１樹脂基材上に、前記直線偏光板、ネガティブＣプレート層、前記第１透明電極及び前記第１配向膜が順次設けられ、
　前記第２積層体には、
　前記第２樹脂基材上に、前記直線偏光板、前記第２配向膜が順次設けられてい
る調
　【請求項６】
　前記第１積層体では、前記ネガティブＣプレート層が粘着剤層上に積層されている請求項４又は５に記載の調光装置。
　【請求項７】
　１又は複数のガラスプレートを含み、曲面を有する第１光透過プレートと、
　第２光透過プレートと、
　前記第１光透過プレートと前記第２光透過プレートとの間に配置され
、遮光状態と光透過状態とをとることのできる
　前記第１光透過プレートの前記曲面と前記調光セルとの間に配置され、前記第１光透過プレートの前記曲面に前記調光セルの一方側を接着する光学透明粘着フィルムと、を備え、
　
前記曲面は、三次元曲面であり、
　前記調光セルは、第１樹脂基材
、第１電極層及び第１配向膜
及び第２配向膜
二色性色素を含むゲスト・ホスト型の
前記第１配向膜と前記第２配向膜との間で前記液晶層の液晶スペースを区画するシール材と、前記液晶層の厚さを規定する複数のスペーサーと、
し、
　
前記第１積層体は、前記液晶層の液晶スペースを区画するシール材の外側に延長され且つ前記第１光透過プレートの前記曲面に貼り合わされた延長部を有し、
　
前記液晶層の液晶スペースを区画するシール材は、幅方向の長さが１ｍｍ以上、５ｍｍ以下である
　【請求項８】
　前記第２光透過プレートは、前記調光セルから離間して配置される請求項７に記載の調光装置。
　【請求項９】
　前記第２光透過プレートは、接着層を介して前記調光セルに取り付けられる請求項７に記載の調光装置。
　【請求項１０】
　前記第２光透過プレートと前記調光セルとの間はシール材によって封止されている請求項７に記載の調光装置。
　【請求項１１】
　前記シール材によって封止された前記第２光透過プレートと前記調光セルとの間にはシリコーンが配置されている請求項１０に記載の調光装置。
　【請求項１２】
　前記シール材によって封止された前記第２光透過プレートと前記調光セルとの間は真空である請求項１０に記載の調光装置。
　【請求項１３】
　反射防止層を更に備える請求項１〜１２のいずれか一項に記載の調光装置。
　【請求項１４】
　反射防止層を更に備え、
　前記反射防止層は、前記調光セル及び前記光透過プレートのうちの少なくともいずれか一方に設けられる請求項１〜６のいずれか一項に記載の調光装置。
　【請求項１５】
　反射防止層を更に備え、
　前記反射防止層は、前記調光セル及び前記第２光透過プレートのうちの少なくともいずれか一方に設けられる請求項７〜１２のいずれか一項に記載の調光装置。
　【請求項１６】
　前記反射防止層は、アンチグレア層、アンチリフレクション層及び低反射層のうちの少なくとも１つを含む請求項１３に記載の調光装置。
　【請求項１７】
　前記曲面は、三次元曲面である請求項１〜１６のいずれか一項に記載の調光装置。
　【請求項１８】
　曲面を有する光透過プレートと、
　
遮光状態と光透過状態とをとることのできる
　前記光透過プレートの前記曲面と前記調光セルとの間に配置され、前記光透過プレートの前記曲面に前記調光セルの一方側を接着する光学透明粘着フィルムと、を備える調光装置であって、
　
前記曲面は、三次元曲面であり、
　前記調光セルは、第１樹脂基材
、第１電極層及び第１配向膜
及び第２配向膜
ゲスト・ホスト型の
前記第１配向膜と前記第２配向膜との間で前記液晶層の液晶スペースを区画するシール材と、前記液晶層の厚さを規定する複数のスペーサーと、
　
前記第１積層体は、前記液晶層の液晶スペースを区画するシール材の外側に延長され且つ前記光透過プレートの前記曲面に貼り合わされた延長部を有し、
　
前記液晶層の液晶スペースを区画するシール材は、幅方向の長さが１ｍｍ以上、５ｍｍ以下であり、
　前記光学透明粘着フィルムは、前記光学透明粘着フィルム及び前記調光セルが積層する方向に関する厚さが、５０μｍ以上５００μｍ以下であり、室温環境での貯蔵弾性率が、１×１０７Ｐａ以上１×１０８Ｐａ以下である調光装置。
　【請求項１９】
　前記光学透明粘着フィルムは、損失正接が０．５以上１．５以下である請求項１〜１８のいずれか一項に記載の調光装置。
　【請求項２０】
　請求項１〜１９のいずれか一項に記載の調光装置を備える車両。